(57)【要約】ユーザ機器、ＵＥ、は、ビーム形成されたダウンリンク信号内で受信された複数のＲＬＭソースに基づいて測定を実行し、測定は、所与のセル又はビームの品質を示す。複数のソースは、第１基準信号（ＲＳ）と、第１ＲＳとは異なるタイプの第２ＲＳと、ビーム形成されたダウンリンク信号内の非基準信号データから取得された１つ以上の物理チャネル品質インジケータと、のうちの２つ以上を含む。測定を実行するために使用される複数のＲＬＭ測定ソースのそれぞれについて、ＵＥは、個別のソースについての測定が第１閾値未満であることに応答して、当該測定が非同期状態イベントを示すかどうかを判定する。その後、ＵＥは、非同期状態イベントの判定された発生に基づいてＲＬＭ動作を実行する。
2020516141.tif 000002
【特許請求の範囲】
【請求項１】
ユーザ機器、ＵＥ、（５０）における方法（６００）であって、
ビーム形成されたダウンリンク信号内で受信された複数の無線リンク管理、ＲＬＭ、測定ソースに基づいて測定を実行すること（６０２）であって、前記測定は、所与のセル又はビームの品質を示し、前記複数のＲＬＭ測定ソースは、１つ以上の第１基準信号、ＲＳ、と、前記１つ以上の第１ＲＳとは異なるタイプの１つ以上の第２ＲＳと、前記ビーム形成されたダウンリンク信号内の非基準信号データから取得された１つ以上の物理チャネル品質インジケータと、のうちの２つ以上を含む、こと（６０２）と、
複数の評価期間のそれぞれについて及び測定を実行するために使用される前記複数のＲＬＭ測定ソースのそれぞれについて、個別のＲＬＭ測定ソースについての測定が第１閾値未満であることに応答して、当該測定が非同期状態イベントを示すかどうかを判定すること（６０４）と、
非同期状態イベントの判定された発生に基づいて１つ以上のＲＬＭ動作を実行すること（６０８）と、
を有する、方法（６００）。
【請求項２】
請求項１に記載の方法（６００）であって、前記複数のＲＬＭ測定ソースは、１つ以上のチャネル状態情報基準信号、ＣＳＩ‐ＲＳ、と、１つ以上の同期信号ブロック（ＳＳＢ）からの基準信号とを含む、方法（６００）。
【請求項３】
請求項１又は２に記載の方法（６００）であって、非同期状態イベントの前記判定された発生に基づいて前記１つ以上のＲＬＭ動作を実行すること（６０８）は、閾値回数の連続した非同期状態イベントが発生したと判定することに応答して第１ＲＬＭ動作を実行することを含む、方法（６００）。
【請求項４】
請求項３に記載の方法（６００）であって、前記第１ＲＬＭ動作は、タイマを開始することを含む、方法（６００）。
【請求項５】
請求項３に記載の方法（６００）であって、前記第１ＲＬＭ動作は、上位層通知を提供することと、無線リンク障害、ＲＬＦ、を宣言することと、ビーム障害を宣言することと、のうちの１つを含む、方法（６００）。
【請求項６】
請求項３乃至５の何れか１項に記載の方法（６００）であって、連続した非同期状態イベントの前記閾値回数は、前記複数のＲＬＭ測定ソースの各ソースについて別々に確立される、方法（６００）。
【請求項７】
請求項３乃至６の何れか１項に記載の方法（６００）であって、前記複数のＲＬＭ測定ソースのうちの１つ以上についての連続した非同期状態イベントの前記閾値回数は、異なるＲＬＭ測定ソースによって共有される、方法（６００）。
【請求項８】
請求項１に記載の方法（６００）であって、前記複数のＲＬＭ測定ソースに基づいて前記測定を実行すること（６０２）は、
前記ビーム形成されたダウンリンク信号のうちの１つ以上の制御チャネル領域であって、前記ＵＥ(５０）のための制御チャネル・メッセージに関連する制御チャネル領域を監視することと、
前記制御チャネル領域の所与のサブフレーム内にデータがスケジュールされると判定することに応答して、
評価期間中に、１つ以上の第１ＲＳを使用して第１品質推定を計算することによって第１測定を判定することであって、前記第１ＲＳは、前記制御チャネル領域内の復調基準シンボル、ＤＭＲＳ、である、ことと、
前記評価期間中に、前記１つ以上の第２ＲＳを使用して第２品質推定を計算することによって第２測定を判定することであって、前記１つ以上の第２ＲＳは、１つ以上の１次同期信号、ＰＳＳ、と、１つ以上の２次同期信号、ＳＳＳ、と、１つ以上の３次同期信号、ＴＳＳ、と、物理ブロードキャスト・チャネル、ＰＢＣＨ、のために使用される１つ以上のＤＭＲＳと、チャネル状態情報‐参照信号、ＣＳＩ‐ＲＳのうちの１つ以上と、１つ以上のモビリティ基準信号、ＭＲＳ、と、１つ以上のビーム測定基準信号、ＢＲＳ、と、のうちの１つである、ことと、
を含む、方法（６００）。
【請求項９】
請求項８に記載の方法（６００）であって、前記第１品質推定は、前記評価期間にわたって前記１つ以上の第１ＲＳから測定された第１無線信号メトリックの平均として計算され、前記第２品質推定は、前記評価期間にわたって前記１つ以上の第２ＲＳから測定された第２無線信号メトリックの平均として計算される、
方法（６００）。
【請求項１０】
請求項１乃至９の何れか１項に記載の方法（６００）であって、
前記複数のＲＬＭ測定ソースのうちの１つ以上についての構成情報を受信することと、
前記構成情報に基づいて前記測定を実行することと、
をさらに有する、方法（６００）。
【請求項１１】
ワイヤレス通信システムの基地局（３０）における方法（１４００）であって、
ビーム形成されたダウンリンク信号において、複数の無線リンク管理、ＲＬＭ、測定ソースを送信すること（１４０２）であって、前記複数のＲＬＭ測定ソースは、１つ以上の第１基準信号、ＲＳ、と、前記１つ以上の第１ＲＳとは異なるタイプの１つ以上の第２ＲＳとを含む、こと（１４０２）と、
前記ビーム形成されたダウンリンク信号内で受信された複数のＲＬＭ測定ソースに基づいて測定を実行するようにユーザ機器、ＵＥ、（５０）を構成すること（１４０４）であって、前記測定は、所与のセル又はビームの品質を示し、それによって、前記測定から判定された同期状態イベント及び非同期状態イベントの発生に基づいて１つ以上のＲＬＭ動作を前記ＵＥ(５０）が実行できるようにする、ことと、
を有する、方法（１４００）。
【請求項１２】
請求項１１に記載の方法（１４００）であって、
前記複数のＲＬＭ測定ソースのうちの１つ以上の構成情報を送信することと、
前記構成情報に基づいて前記測定を実行するように前記ＵＥ(５０）を構成することと、
をさらに有する、方法（１４００）。
【請求項１３】
請求項１２に記載の方法（１４００）であって、
前記ＵＥ(５０）のための制御チャネル・メッセージが前記物理制御チャネル領域に含まれていたならば使用されることになるものに対応する時間‐周波数リソース内の追加のＲＳを送信することと、
前記追加のＲＳに対応する構成情報を送信することと、
をさらに有する、方法（１４００）。
【請求項１４】
請求項１３に記載の方法（１４００）であって、制御チャネル・メッセージが再び前記物理制御チャネル領域に含まれるべき場合に、前記時間‐周波数リソース内の前記追加のＲＳの前記送信を非アクティブ化することをさらに有する、方法（１４００）。
【請求項１５】
ユーザ機器、ＵＥ、（５０）であって、
ビーム形成されたダウンリンク信号を受信するように構成された送受信機回路（５６）と、
前記送受信機回路（５６）に動作可能に関連付けられた処理回路（５２）であって、
前記ビーム形成されたダウンリンク信号内で受信された複数の無線リンク管理、ＲＬＭ、測定ソースに基づいて測定を実行すること（６０２）であって、前記測定は、所与のセル又はビームの品質を示し、前記複数のＲＬＭ測定ソースは、１つ以上の第１基準信号、ＲＳ、と、前記１つ以上の第１ＲＳとは異なるタイプの１つ以上の第２ＲＳと、前記ビーム形成されたダウンリンク信号内の非基準信号データから取得された１つ以上の物理チャネル品質インジケータと、のうちの２つ以上を含む、ことと、
複数の評価期間のそれぞれについて及び測定を実行するために使用される前記複数のＲＬＭ測定ソースのそれぞれについて、個別のＲＬＭ測定ソースについての測定が第１閾値未満であることに応答して、当該測定が非同期状態イベントを示すかどうかを判定することと、
非同期状態イベントの判定された発生に基づいて１つ以上のＲＬＭ動作を実行することと、
を行うように構成された処理回路（５２）とを有する、ＵＥ（５０）。
【請求項１６】
請求項１５に記載のＵＥ（５０）であって、前記複数のＲＬＭ測定ソースは、１つ以上のチャネル状態情報基準信号、ＣＳＩ‐ＲＳ、と、１つ以上の同期信号ブロック（ＳＳＢ）からの基準信号とを含む、ＵＥ（５０）。
【請求項１７】
請求項１５又は１６に記載のＵＥ（５０）であって、前記処理回路（５２）は、閾値回数の連続した非同期状態イベントが発生したと判定することに応答して第１ＲＬＭ動作を実行することによって、非同期状態イベントの前記判定された発生に基づいて前記１つ以上のＲＬＭ動作を実行するように構成される、ＵＥ（５０）。
【請求項１８】
請求項１７に記載のＵＥ（５０）であって、前記第１ＲＬＭ動作は、タイマを開始することを含む、ＵＥ（５０）。
【請求項１９】
請求項１７に記載のＵＥ（５０）であって、前記第１ＲＬＭ動作は、上位層通知を提供することと、無線リンク障害、ＲＬＦ、を宣言することと、ビーム障害を宣言することと、のうちの１つを含む、ＵＥ（５０）。
【請求項２０】
請求項１７乃至１９の何れか１項に記載のＵＥ（５０）であって、連続した非同期状態イベントの前記閾値回数は、前記複数のＲＬＭ測定ソースの各ソースについて別々に確立される、ＵＥ（５０）。
【請求項２１】
請求項１７乃至１９の何れか１項に記載のＵＥ（５０）であって、前記複数のＲＬＭ測定ソースのうちの１つ以上についての連続した非同期状態イベントの前記閾値回数は、異なるＲＬＭ測定ソースによって共有される、ＵＥ（５０）。
【請求項２２】
請求項１５に記載のＵＥ（５０）であって、前記処理回路（５２）は、
前記ビーム形成されたダウンリンク信号のうちの１つ以上の制御チャネル領域であって、前記ＵＥ(５０）のための制御チャネル・メッセージに関連する制御チャネル領域を監視することと、
前記制御チャネル領域の所与のサブフレーム内にデータがスケジュールされると判定することに応答して、
評価期間中に、１つ以上の第１ＲＳを使用して第１品質推定を計算することによって第１測定を判定することであって、前記第１ＲＳは、前記制御チャネル領域内の復調基準シンボル、ＤＭＲＳ、である、ことと、
前記評価期間中に、前記１つ以上の第２ＲＳを使用して第２品質推定を計算することによって第２測定を判定することであって、前記１つ以上の第２ＲＳは、１つ以上の１次同期信号、ＰＳＳ、と、１つ以上の２次同期信号、ＳＳＳ、と、１つ以上の３次同期信号、ＴＳＳ、と、物理ブロードキャスト・チャネル、ＰＢＣＨ、のために使用される１つ以上のＤＭＲＳと、チャネル状態情報‐参照信号、ＣＳＩ‐ＲＳのうちの１つ以上と、１つ以上のモビリティ基準信号、ＭＲＳ、と、１つ以上のビーム測定基準信号、ＢＲＳ、と、のうちの１つである、ことと、
を行うことによって、前記複数のＲＬＭ測定ソースに基づいて前記測定を実行するように構成される、ＵＥ（５０）。
【請求項２３】
請求項２２に記載のＵＥ（５０）であって、前記第１品質推定は、前記評価期間にわたって前記１つ以上の第１ＲＳから測定された第１無線信号メトリックの平均として計算され、前記第２品質推定は、前記評価期間にわたって前記１つ以上の第２ＲＳから測定された第２無線信号メトリックの平均として計算される、
ＵＥ（５０）。
【請求項２４】
請求項１５乃至２３の何れか１項に記載のＵＥ（５０）であって、前記処理回路（５２）は、
前記複数のＲＬＭ測定ソースのうちの１つ以上についての構成情報を受信することと、
前記構成情報に基づいて前記測定を実行することと、
を行うように構成される、ＵＥ（５０）。
【請求項２５】
ワイヤレス通信システムの基地局（３０）であって、
ビーム形成されたダウンリンク信号を送信し、ユーザ機器、ＵＥ、（５０）と通信するように構成された送受信機回路（３６）と、
前記送受信機回路（３６）に動作可能に関連付けられた処理回路（３２）であって、
前記送受信機回路（３６）を介するビーム形成されたダウンリンク信号において、複数の無線リンク管理、ＲＬＭ、測定ソースを送信することであって、前記複数のＲＬＭ測定ソースは、１つ以上の第１基準信号、ＲＳ、と、前記１つ以上の第１ＲＳとは異なるタイプの１つ以上の第２ＲＳとのうちの２つ以上を含む、ことと、
前記ビーム形成されたダウンリンク信号内で受信された複数のＲＬＭ測定ソースに基づいて測定を実行するように前記ＵＥ（５０）を構成することであって、前記測定は、所与のセル又はビームの品質を示し、それによって、前記測定から判定された同期状態イベント及び非同期状態イベントの発生に基づいて１つ以上のＲＬＭ動作を前記ＵＥ(５０）が実行できるようにする、ことと、
を行うように構成された処理回路（３２）とを有する、基地局（３０）。
【請求項２６】
請求項２４に記載の基地局（３０）であって、前記処理回路（３２）は、
前記複数のＲＬＭ測定ソースのうちの１つ以上の構成情報を送信することと、
前記構成情報に基づいて前記測定を実行するように前記ＵＥ(５０）を構成することと、
を行うように構成される、基地局（３０）。
【請求項２７】
請求項２６に記載の基地局（３０）であって、前記処理回路（３２）は、
前記ＵＥ(５０）のための制御チャネル・メッセージが前記物理制御チャネル領域に含まれていたならば使用されることになるものに対応する時間‐周波数リソース内の追加のＲＳを送信することと、
前記追加のＲＳに対応する構成情報を送信することと、
を行うように構成される、基地局（３０）。
【請求項２８】
請求項２７に記載の基地局（３０）であって、前記処理回路（３２）は、制御チャネル・メッセージが再び前記物理制御チャネル領域に含まれるべき場合に、前記時間‐周波数リソース内の前記追加のＲＳの前記送信を非アクティブ化することをを行うように構成される、基地局（３０）。
【請求項２９】
請求項１乃至１０の何れか１項に記載の方法（６００、９００）を実行するように構成されたユーザ機器、ＵＥ、（５０）。
【請求項３０】
請求項１１乃至１４の何れか１項に記載の方法（１４００）を実行するように構成された基地局（３０）。
【請求項３１】
コンピュータ・プログラム・コードを有するコンピュータ・プログラム（６６）であって、前記コンピュータ・プログラム・コードは、ユーザ機器、ＵＥ、（５０）で実行された場合に、前記ＵＥ（５０）に、
ビーム形成されたダウンリンク信号内で受信された複数の無線リンク管理、ＲＬＭ、測定ソースに基づいて測定を実行することであって、前記測定は、所与のセル又はビームの品質を示し、前記複数のＲＬＭ測定ソースは、１つ以上の第１基準信号、ＲＳ、と、前記１つ以上の第１ＲＳとは異なるタイプの１つ以上の第２ＲＳと、前記ビーム形成されたダウンリンク信号内の非基準信号データから取得された１つ以上の物理チャネル品質インジケータと、のうちの２つ以上を含む、ことと、
複数の評価期間のそれぞれについて及び測定を実行するために使用される前記複数のＲＬＭ測定ソースのそれぞれについて、個別のＲＬＭ測定ソースについての測定が第１閾値未満であることに応答して、当該測定が非同期状態イベントを示すかどうかを判定することと、
非同期状態イベントの判定された発生に基づいて１つ以上のＲＬＭ動作を実行することと、
を行わせる、コンピュータ・プログラム（６６）。
【請求項３２】
請求項３１に記載のコンピュータ・プログラム（６６）と、前記コンピュータ・プログラム（６６）が記憶されたコンピュータ可読媒体（６４）とを含むコンピュータ・プログラム製品（６４、６６）。
【請求項３３】
コンピュータ・プログラム・コードを有するコンピュータ・プログラム（４６）であって、前記コンピュータ・プログラム・コードは、基地局（３０）で実行された場合に、前記基地局（３０）に、
ワイヤレス通信システムの基地局（３０）における方法（１４００）であって、
ビーム形成されたダウンリンク信号において、複数の無線リンク管理、ＲＬＭ、測定ソースを送信することであって、前記複数のＲＬＭ測定ソースは、１つ以上の第１基準信号、ＲＳ、と、前記１つ以上の第１ＲＳとは異なるタイプの１つ以上の第２ＲＳとを含む、ことと、
前記ビーム形成されたダウンリンク信号内で受信された複数のＲＬＭ測定ソースに基づいて測定を実行するようにユーザ機器、ＵＥ、（５０）を構成することであって、前記測定は、所与のセル又はビームの品質を示し、それによって、前記測定から判定された同期状態イベント及び非同期状態イベントの発生に基づいて１つ以上のＲＬＭ動作を前記ＵＥ(５０）が実行できるようにする、ことと、
を行わせる、コンピュータ・プログラム（４６）。
【請求項３４】
請求項３３に記載のコンピュータ・プログラム（４６）と、前記コンピュータ・プログラム（４６）が記憶されたコンピュータ可読媒体（４４）とを含むコンピュータ・プログラム製品（４４、４６）。
【発明の詳細な説明】
【技術分野】
【０００１】
本開示は一般に、ワイヤレス通信システムに関し、より詳細に、このようなシステムにおけるワイヤレス・デバイスによる無線リンク監視（ＲＬＭ）及びビーム障害検出に関する。
【背景技術】
【０００２】
ＬＴＥにおける無線リンク監視（ＲＬＭ）
第３世代パートナシップ・プロジェクト（３ＧＰＰ）によって開発されたロングターム・エボリューション（ＬＴＥ）ワイヤレス・システムは、広く展開された第４世代ワイヤレス通信システムである。ＬＴＥ及びその先行システムにおいて、３ＧＰＰ文書で「ユーザ機器」又は「ＵＥ」と呼ばれるワイヤレス・デバイスにおけるＲＬＭ機能の目的は、ＲＲＣ＿ＣＯＮＮＥＣＴＥＤ状態であるサービング・セルのダウンリンク無線リンク品質を監視することである。この監視は、所与のＬＴＥセルに常に関連付けられ、物理セル識別子（ＰＣＩ）から導出されるセル固有基準信号（ＣＲＳ）に基づく。次いで、３ＧＰＰ  ＴＳ３６．２１３、ｖ１４．０．０に記載されているように、ＲＬＭは、ＲＲＣ＿ＣＯＮＮＥＣＴＥＤ状態である場合に、自身のサービング・セルに対して同期状態（ｉｎ−ｓｙｎｃ）であるか非同期状態（ｏｕｔ−ｏｆ−ｓｙｎｃ）であるかをＵＥが判定できるようにする。
【０００３】
ＣＲＳの測定に基づくＵＥのダウンリンク無線リンク品質の推定は、ＲＬＭの目的で、非同期状態閾値Ｑｏｕｔ及び同期状態閾値Ｑｉｎと比較される。これらの閾値は、サービング・セルからの仮想物理ダウンリンク制御チャネル（ＰＤＣＣＨ）送信のブロック誤り率（ＢＬＥＲ）に関して標準化される。具体的に、Ｑｏｕｔは１０％ＢＬＥＲに相当し、Ｑｉｎは２％ＢＬＥＲに相当する。ＤＲＸが使用中であるか否かにかかわらず、同じ閾値レベルが適用可能である。
【０００４】
ＣＲＳベースのダウンリンク品質と仮想ＰＤＣＣＨ  ＢＬＥＲとの間のマッピングは、ＵＥ実装に依存する。しかし、３ＧＰＰ  ＴＳ３６．５２１‐１、ｖ１４．０．０に記載されているように、性能は、様々な環境に対して規定された適合性テストによって検証される。また、ＰＤＣＣＨがどこでスケジューリングされる予定かをＵＥが必ずしも知るわけでないので、ダウンリンク品質は帯域全体にわたるＣＲＳに基づいて計算される。図１に示すように、ＰＤＣＣＨ送信は、ダウンリンク送信帯域幅全体にわたって任意の場所でスケジュールされうる。
【０００５】
間欠受信（ＤＲＸ）が構成されていない場合に、２００ミリ秒周期にわたって推定されたダウンリンク無線リンク品質が閾値Ｑｏｕｔよりも悪くなると、非同期状態が発生する。同様に、ＤＲＸなしで、１００ミリ秒期間にわたって推定されたダウンリンク無線リンク品質が閾値Ｑｉｎよりも良好になると、同期状態が発生する。非同期状態が検出されると、ＵＥは同期状態の評価を開始する。非同期状態及び同期状態の発生は、ＵＥの物理層によってその上位層に内部的に報告され、次いで、上位層は、無線リンク障害（ＲＬＦ）の評価のために第３層（すなわち、上位層）フィルタリングを適用してもよい。上位層ＲＬＭ手順を図２に示す。
【０００６】
ＤＲＸが使用中である場合に、非同期状態評価期間及び同期状態評価期間は、十分なＵＥ電力節約を可能にするために延長され、構成されたＤＲＸサイクル長に依存する。ＵＥは、非同期状態が発生するたびに同期状態評価を開始する。したがって、非同期状態及び同期状態の評価に、同じ期間（ＴＥｖａｌｕａｔｅ＿Ｑｏｕｔ＿ＤＲＸ）が使用される。ただし、満了までＲＬＦタイマ（Ｔ３１０）を開始すると、同期状態評価期間は１００ミリ秒に短縮され、これはＤＲＸがない場合と同じである。タイマＴ３１０がＮ３１０回の連続した同期状態インジケーションに起因して停止されるならば、ＵＥは、ＤＲＸベースの期間（ＴＥｖａｌｕａｔｅ＿Ｑｏｕｔ＿ＤＲＸ）に従って同期状態評価を実行する。
【０００７】
ＬＴＥにおけるＲＬＭのために使用される全方法論（すなわち、ＰＤＣＣＨ品質を「推定」するためにＣＲＳを測定すること）は、ＵＥがＰＤＣＣＨ及びＣＲＳの両方を送信する単一の接続エンティティであるＬＴＥセルに接続されるという事実に依拠する。
【０００８】
５Ｇ開発
３ＧＰＰ［３ＧＰＰ  ＲＰ‐１６０６７１３］では、ニュー・ラジオ（ＮＲ）という名称の新しい５Ｇ無線アクセス技術の研究項目が開始されている。企業は以下の設計原理、すなわち、「ＮＲ」と呼ばれる新しい５Ｇ無線アクセス技術のためのウルトラ・リーン設計、及びビームフォーミングの大規模な使用に関する前提に合意した。これまでのところ、ＲＬＭの詳細は確立されていない。しかし、企業は、ＲＬＭが設計される際にビームフォーミングを考慮に入れる必要があるという見解を表明したが、これはＬＴＥの場合ではない。これに加えて、ＵＥがどのようにセルの品質を測定すべきかに関する懸念が表明されている。
【０００９】
既存のソリューションの問題
以下は、ＬＴＥにおける既存のソリューションと比較して、ＲＬＭ及びビーム障害検出のための新しいソリューションの必要性を駆動しうる５Ｇ  ＮＲの原理のいくつかである。
【００１０】
新しい５Ｇ無線（ＮＲ）におけるウルトラ・リーン設計
ＮＲは、ウルトラ・リーン・システムであることが期待され、これは、エネルギー効率の良い未来に耐えるシステムを目指して、常時オン送信の最小化を意味する。３ＧＰＰにおける初期の前提は、この原理が承認されており、ＮＲがリーン・システムであるべきであるという共通の理解があることを示している。ＲＡＮ１＃８４ｂｉｓでは、ＲＡＮ１はウルトラ・リーン設計に関して以下の合意を行った。
【００１１】
ＮＲ設計は、柔軟に利用することができる、又は将来的に後方互換性の問題を引き起こすことなくブランキングされたままにすることができる時間及び周波数リソースの量を最大にするように努めなければならない。ブランク・リソースは、将来の使用のために使用されうる。また、ＮＲ設計は、構成可能／割り当て可能な時間／周波数リソース内の物理層機能（信号、チャネル、シグナリング）のために、常時オン信号の送信を最小化し、信号及びチャネルを閉じ込めるように努めなければならない。
【００１２】
しかし、上述したように、ＬＴＥにおけるＲＬＭは、すべてのサブフレームにおいて送信される広帯域信号であるＣＲＳに基づいている。ＮＲにおけるＲＬＭ設計に関するリーン設計原理の主な結果は、すべてのサブフレームにおいて送信される広帯域信号の設計を回避することが望まれることである。したがって、リーン設計は、ＮＲにおけるＲＬＭのためのＬＴＥソリューションの使用を禁止する。
【００１３】
新しい５Ｇ無線（ＮＲ）におけるビームフォーミング
ＮＲは１００ＧＨｚまでの周波数範囲を考慮するという共通理解がある。ＬＴＥに現在割り当てられている周波数帯域と比較すると、新しい帯域の一部は、より低い回折及びより高い屋外／屋内透過損失のような、はるかに困難な伝搬特性を有することになる。その結果、信号は角の周りを伝播し、壁を貫通する能力が低くなる。さらに、高周波数帯域では、大気／雨の減衰及びより高い身体損失がＮＲ信号のカバレージをさらにスポット状にする。幸いにも、より高い周波数での動作はより小さいアンテナ素子を使用することを可能にし、これは、多くのアンテナ素子を有するアンテナ・アレイを可能にする。このようなアンテナ・アレイは、複数のアンテナ素子が狭ビームを形成するために使用され、それによって困難な伝搬特性を補償するビームフォーイングを容易にする。これらの理由で、ＮＲはカバレージを提供するために大規模なビームフォーミングに依存することが広く受け入れられており、このことは、ＮＲがしばしばビーム・ベース・システムと呼ばれることを意味する。
【００１４】
また、ＮＲでは、アナログ、ハイブリッド、及びデジタルの異なるアンテナ・アーキテクチャがサポートされるべきであることも知られている。これは、特にアナログ／ハイブリッド・ビームフォーミングの場合に、いくつの方向が同時にカバーされうるかという点で、いくつかの制限を意味する。所与の送信受信点（ＴＲＰ）／アクセス・ノード／アンテナ・アレイにおいて良好なビーム方向を見つけるために、典型的には、ビーム・スイープ手順が採用される。ビーム・スイープ手順の典型的な例は、同期信号及び／又はビーム識別信号を含むビームを、いくつかの可能な方向のそれぞれにおいて、一度に１つ又はいくつかの方向に、ノードが向けることである。これは図３に示されており、図示されたローブのそれぞれはビームを表し、ビームは連続的に、スイープする方式で、又は同時に、又は何らかの組み合わせで送信されてもよい。同じカバレッジ特性が各ビーム内の同期信号及びビーム識別信号の両方に適用されるならば、ＵＥは、ＴＲＰに同期するだけでなく、所与の位置で最良のビーム知識を得ることもできる。
【００１５】
ビーム障害検出及び回復
ＮＲにおける高いビームフォーミング利得に起因して、なんらかのビーム障害検出及び回復メカニズムの必要性が重要な問題として現れる。狭ビームを介して所望のＵＥ位置において信号エネルギーをピンポイントで示すことに起因して、より高いアンテナ利得及びより低いセル間干渉の両方のおかげで、セル・エッジにおいて高い信号対干渉プラス雑音比（ＳＩＮＲ）レベルを可能にするので、狭いビームフォーミングは、ＮＲにおけるキーとなる構成要素と考えられる。しかし、これらの狭ビームを形成することは、高モビリティのシナリオにおけるビーム・パターンの不整合を犠牲にすることになる。ＵＥがその位置を突然変えるならば、視線角度に突然の変化があるか、又はビーム・パターンが伝搬環境における遮断効果によって物理的に妨害されるならば、受信信号の品質が急激に低下する可能性がある。いずれの場合も、ネットワークは任意の自発的なビーム障害を監視及び検出し、必要なときにビーム回復手順を実行することが必要とされる。ＵＥがビーム品質の突然の低下を経験する可能性は、ＬＴＥのようなレガシー・システムと比較して、ＮＲにおいてより重大な問題である。
【００１６】
自身のサービング・セルにもはや到達可能ではないとＵＥが仮定する場合にＲＬＦ手順をトリガする前に又は新しいセルの探索を開始する前に、１つのビームから、依然として同じサービング・セル内にある別のビームに切り替えることによって、リンク問題が回復されうるかどうかをＵＥが最初に検出することが必要である。これは、多くのビームが同じベースバンド又はアンテナ・ボードを共有できるからである。同じセル内の他のビームが利用可能である場合、単にＵＥが単一のビームと通信できないので、リソース無線制御（ＲＲＣ）接続を再確立する必要はない。軽量及び高速ビーム回復手順は、ビーム障害がある場合に開始されるべきであり、これは、ＲＬＦ手順を使用することと比較して、ＵＥ性能を大幅に改善できる。
【００１７】
ＮＲにおけるモビリティ基準信号：３ＧＰＰ前提
これまでの３ＧＰＰの議論では、モビリティ（例えば、ハンドオーバ、又はＨＯ）に関連する測定のためにＵＥによって使用されるモビリティ基準信号（ＭＲＳ）に関するいくつかの合意があった。ビーム及びＮＲセル定義との関係に関する、（少なくともネットワーク制御モビリティのために、データ送信について最適化される）ＲＲＣ関与を伴うＲＲＣ＿ＣＯＮＮＥＣＴＥＤモード・モビリティにおけるダウンリンク・ベースのモビリティについての合意は、以下を含んでもよい。１）ＵＥは、少なくとも、１つ以上の個別のビームを測定し、ｇＮＢ（ＮＲ基地局）は、ＨＯを実行するためにそれらのビームを考慮するメカニズムを有するべきである。これは、少なくともｇＮＢ間ハンドオーバをトリガし、ＨＯピンポン及びＨＯ障害を低減するために必要であることに留意されたい。ＵＥは、複数のビームの個別の品質及び／又は組み合わされた品質を報告してもよい。２）ＵＥは、自身のサービング・セルからのビームと、無線リソース管理（ＲＲＭ）測定のための非サービング・セルからのビームとを区別できるべきである。ＵＥは、ビームが自身のサービング・セルからのものであるかどうかを判定できるべきである。サービング／非サービング・セルが「サービング／非サービング・ビーム集合」と呼ばれうるかどうか、ＵＥが専用シグナリングを介して通知されるか又はいくつかのブロードキャスト信号に基づいてＵＥによって暗黙的に検出されるか、及び接続モードのセルがアイドル・モードのセルにどのように関係するかは、まだ決定されていない。３）セル品質は、個別のビームからの測定に基づいて導出されてもよい。
【００１８】
他の合意は、４）ＲＲＣ＿ＣＯＮＮＥＣＴＥＤのＵＥが常時オン基準信号（例えば、同期信号）を使用してＲＲＭ測定を実行できるべきであること、及び５）ＲＲＣ＿ＣＯＮＮＥＣＴＥＤのＵＥが追加の基準信号（例えば、チャネル状態情報（ＣＳＩ）‐ＲＳ、ＭＲＳなど）上でＲＲＭ測定（モビリティ目的のための測定）を実行できるべきであることを含む。６）ネットワークは、追加のＲＳ及び／又はＩＤＬＥ  ＲＳ上で実行される専用シグナリングを介してＲＲＭ測定を構成できるべきである。
【００１９】
また、合意は、７）データ復調のための可変／構成可能な復調基準信号（ＤＭＲＳ）パターンのサポートがあり、少なくとも１つの構成がフロント・ロードＤＭＲＳパターンをサポートすることも含む。合意はまた、８）少なくとも、ＮＲ２次同期信号（ＮＲ‐ＳＳＳ）が、ＩＤＬＥモードにおけるＬ３モビリティのためのダウンリンク・ベースのＲＲＭ測定のために使用されることを含む。ＩＤＬＥモードでの測定のために（定義されているならば）ＰＢＣＨのためのＤＭ‐ＲＳの潜在的な追加の使用があるかどうか、及びＮＲ‐ＳＳＳのみがＲＲＭ測定のための要件を満たすかどうかは、まだ決定されていない。
【００２０】
合意は、９）第３層（Ｌ３）モビリティのためのＣＯＮＮＥＣＴＥＤモードＲＲＭ測定のために、ＩＤＬＥモード基準信号に加えて、ＣＳＩ‐ＲＳが使用されうることを含む。測定のための隣接セルの検出は、ＮＲ‐ＳＳに基づく。また、合意は、１０）ビーム障害が、ＰＤＣＣＨが所定の品質を下回ると定義されることも含む。ネットワークは、少なくともＲＡＣＨ領域においてＵＥがビーム・リンク回復要求を送信するためのリソースを構成する。
【発明の概要】
【００２１】
ワイヤレス・デバイス（例えば、ＵＥ）が自身のサービング・セル品質を測定できる技法が以下で詳細に説明され、ここで、セルは、リーン設計で、すなわち、帯域全体で及びすべてのサブフレームにわたって送信される常時オン基準信号なしで、ビームフォーミング方式の信号を送信している。
【００２２】
本発明の実施形態は、ＵＥ及びネットワーク無線アクセス・ノードを含み、ＵＥは、所与のセル又はビーム（又はセル内のリンク）の品質をＵＥに示すために使用されうる複数の「ソース」に基づいてＲＬＭを実行する。これらのＲＬＭ測定ソースは、２つ以上の異なる基準信号であってもよいし、基準信号と、非基準信号データ（例えば、ＰＤＣＣＨ復号成功、ＣＳＩインジケーションなど）から取得された物理チャネル品質インジケータとの混合であってもよい。この説明の目的のために、ビーム障害検出は、ＲＬＭの形成と考えられる。したがって、本書で説明される実施形態は、ＲＬＭを実行すること、ＲＬＭ測定ソース、及びＲＬＭ動作を実行することに言及するが、これらの測定ソース及び動作は、より一般に、ビーム障害検出及びＲＬＭの両方に適しており、ビーム障害検出及びＲＬＭの両方を含むことを意味する。
【００２３】
これらの実施形態は、接続された状態で割り当てをスケジューリングするためにＵＥによって監視されるＰＤＣＣＨのようなメイン・ダウンリンク制御チャネルの推定された品質にも基づくＲＬＭを含んでもよい。レガシー・モバイル・システム（例えば、ＬＴＥ）では、ＰＤＣＣＨ品質が単一の基準信号タイプ（例えば、ＣＲＳ）の受信信号強度のみに基づいて推定されるが、これらの実施形態は複数のソースに依存する。また、レガシー・システムでは、ＣＲＳは常に送信され（その結果、単一のソースが常に利用可能である）、一方、５Ｇでは、送信はまばらであり、常に利用可能であるわけではないので、複数のソースの使用は有利なソリューションとなる。
【００２４】
実施形態の１つの主な利点は、ＵＥがＲＬＭ及びビーム障害検出のために、ＰＤＣＣＨ、ＤＭＲＳ、又はＰＤＣＣＨインジケーションを日和見的に使用できることである。さらに、ＵＥは、データがスケジュールされていない場合に、（おそらく周期的である）追加の基準信号を使用できる。ＵＥがスケジュールされる場合に、ＤＭＲＳに基づくＲＬＭは非常に正確である。ＵＥがスケジュールされない場合に、ＲＬＭのために余分なオーバヘッドが必要とされず、ＵＥは、このような仮想ＰＤＣＣＨが追加の基準信号と同様のリソース上で構成されると想定される仮想ＰＤＣＣＨ品質を依然として推定できる。
【００２５】
実施形態の利点は、ビーム・ベースのネットワーク内のＵＥがすべての利用可能なＲＳ型を活用し、最も正確なＲＬＭ測定を提供するものを監視できることを含む。そのため、ＲＬＭ精度が向上する。ＵＥは、異なるＲＳタイプを使用する柔軟性を有するので、ネットワークは、ＲＬＭ精度を改善するために、あまりに多くの無線リソースを構成することに頼る必要がない。スタンドアロンのリーンＲＳがＲＬＭに使用されるならば、ネットワークは、先に記載された第１及び第３ソリューションにおいて提案されるように、より多くの周波数リソースを構成することを要求されてもよい。したがって、ＲＬＭのために異なるＲＳタイプを使用することは、ネットワークにおいてよりリーンなシグナリングを達成するのに役立つ。
【００２６】
いくつかの実施形態によれば、ユーザ機器（ＵＥ）における方法は、ビーム形成されたダウンリンク信号内で受信された複数のＲＬＭ測定ソースに基づいて測定を実行することを含み、測定は、所与のセル又はビームの品質を示す。複数のソースは、１つ以上の第１ＲＳと、１つ以上の第１ＲＳとは異なるタイプの１つ以上の第２ＲＳと、ビーム形成されたダウンリンク信号内の非基準信号データから取得された１つ以上の物理チャネル品質インジケータと、のうちの２つ以上を含む。測定を実行するために使用される複数のソースのそれぞれについて、本方法は、個別のソースについての測定が第１閾値未満であることに応答して、当該測定が非同期状態イベントを示すと判定することを含む。本方法は、非同期状態イベントの判定された発生に基づいて、ＲＬＭ又はビーム障害検出動作を実行することをさらに含む。
【００２７】
いくつかの実施形態によれば、ユーザ機器（ＵＥ）における方法は、評価期間の第１時間間隔中に、ビーム形成されたダウンリンク信号内で受信されたＲＬＭ又はビーム障害検出ソースを使用して測定を実行することを含み、測定は、所与のセル又はビームの品質を示す。ソースは、１つ以上の第１ＲＳと、１つ以上の第１ＲＳとは異なるタイプの１つ以上の第２ＲＳと、ビーム形成されたダウンリンク信号内の非基準信号データから取得された１つ以上の物理チャネル品質インジケータと、のうちの１つを含む。本方法は、評価期間の先頭から第１時間間隔中のソースの発生回数を判定することを含む。本方法は、発生回数が発生閾値を満たしたと判定したことに応答して、評価期間の残りの間、ソースを１次ソースとして使用して測定を実行し続けることを含む。本方法はまた、発生回数が発生閾値を満たしていないと判定したことに応答して、１つ以上の第１ＲＳのうちの異なる１つ、１つ以上の第２ＲＳ、及びビーム形成されたダウンリンク信号内の非基準信号データから取得された１つ以上の物理チャネル品質インジケータを２次ソースとして選択し、代わりに、評価期間の残りの間、２次ソースを使用して測定を実行することを含む。本方法は、１次ソース及び２次ソースのうちの少なくとも１つを使用して実行された測定に基づいて、ＲＬＭ又はビーム障害検出動作を実行することをさらに含む。
【００２８】
いくつかの実施形態によれば、ワイヤレス通信システムのアクセス・ノードにおける方法は、ビーム形成されたダウンリンク信号において、複数のＲＬＭ又はビーム障害検出ソースを送信することを含み、複数のソースは、１つ以上の第１ＲＳと、１つ以上の第１ＲＳとは異なるタイプの１つ以上の第２ＲＳとを含む。本方法はまた、ビーム形成されたダウンリンク信号内で受信された複数のソースに基づいて測定を実行するようにＵＥを構成することを含み、測定は所与のセル又はビームの品質を示し、ＵＥは、測定から判定された同期状態イベント及び非同期状態イベントの発生に基づいて、ＲＬＭ又はビーム障害検出動作を実行できるようにされる。
【００２９】
いくつかの実施形態によれば、ＵＥは、ビーム形成されたダウンリンク信号を受信するように構成された送受信機回路と、送受信機回路に動作可能に関連付けられた処理回路とを含む。処理回路は、ビーム形成されたダウンリンク信号内で受信された複数のＲＬＭ測定ソースに基づいて測定を実行するように構成され、測定は、所与のセル又はビームの品質を示す。複数のＲＬＭ測定ソースは、１つ以上の第１ＲＳと、１つ以上の第１ＲＳとは異なるタイプの１つ以上の第２ＲＳと、ビーム形成されたダウンリンク信号内の非基準信号データから取得された１つ以上の物理チャネル品質インジケータと、のうちの２つ以上を含む。処理回路は、複数の評価期間のそれぞれについて及び測定を実行するために使用される複数のＲＬＭ測定ソースのそれぞれについて、個別のＲＬＭ測定ソースの測定が第１閾値未満であることに応答して当該測定が非同期状態イベントを示すかどうかを判定するように構成される。処理回路はまた、非同期状態イベントの判定された発生に基づいて１つ以上のＲＬＭ動作を実行するように構成される。
【００３０】
いくつかの実施形態によれば、ＵＥは、ビーム形成されたダウンリンク信号を受信するように構成された送受信機回路と、送受信機回路に動作可能に関連付けられた処理回路とを含む。処理回路は、評価期間の第１時間間隔中に、ビーム形成されたダウンリンク信号内で受信されたＲＬＭソースを使用して測定を実行するように構成され、測定は、所与のセル又はビームの品質を示す。ＲＬＭ測定ソースは、１つ以上の第１ＲＳと、１つ以上の第１ＲＳとは異なるタイプの１つ以上の第２ＲＳと、ビーム形成されたダウンリンク信号内の非基準信号データから取得された１つ以上の物理チャネル品質インジケータと、のうちの１つを含む。処理回路は、評価期間の先頭から第１時間間隔中のＲＬＭ測定ソースの発生回数を判定するように構成される。処理回路は、発生回数が発生閾値を満たしたと判定することに応答して、評価期間の残りの間、１次ソースとしてＲＬＭ測定ソースを使用して測定を実行し続け、発生回数が発生閾値を満たさないと判定することに応答して、２次ソースとして、１つ以上の第１ＲＳ、１つ以上の第２ＲＳ、及びビーム形成されたダウンリンク信号内の非基準信号データから取得された１つ以上の物理チャネル品質インジケータのうちの異なる１つを選択し、代わりに、評価期間の残りの間、２次ソースを使用して測定を実行するように構成される。処理回路はまた、１次ソース及び２次ソースのうちの少なくとも１つを使用して実行された測定に基づいて、１つ以上のＲＬＭ動作を実行するように構成される。
【００３１】
いくつかの実施形態によれば、ワイヤレス通信システムのアクセス・ノードは、ビーム形成されたダウンリンク信号を送信し、ＵＥと通信するように構成された送受信機回路と、送受信機回路に動作可能に関連付けられた処理回路とを含む。処理回路は、送受信機回路を介してビーム形成されたダウンリンク信号内で、複数のＲＬＭ測定ソースを送信するように構成され、複数のＲＬＭ測定ソースは、１つ以上の第１ＲＳと、１つ以上の第１ＲＳとは異なるタイプの１つ以上の第２ＲＳとを含む。処理回路はまた、ビーム形成されたダウンリンク信号内で受信された複数のＲＬＭ測定ソースに基づいて測定を実行するようにＵＥを構成するように構成され、測定は、所与のセル又はビームの品質を示し、それによって、測定から判定された同期状態イベント及び非同期状態イベントの発生に基づいてＵＥが１つ以上のＲＬＭ動作を実行できるようにする。
【００３２】
本発明のさらなる態様は、上記に要約された方法に対応する装置、コンピュータ・プログラム製品、又はコンピュータ可読記憶媒体、並びに上記に要約された装置及びＵＥの機能実装を対象とする。
【００３３】
当然のことながら、本発明は、上記の特徴及び利点に限定されるものではない。当業者は以下の詳細な説明を読み、添付の図面を見ることで、さらなる特徴及び利点を認識するだろう。
【図面の簡単な説明】
【００３４】
【図１】ダウンリンク送信帯域幅全体にわたってＰＤＣＣＨをどのようにスケジュールできるかを説明する。
【図２】ＬＴＥにおける上位層ＲＬＭ手順を説明する。
【図３】ビーム・スイープ手順を説明する。
【図４】いくつかの実施形態による、本書に記載されるＲＬＭ手順を容易にする基準信号送信の原理を説明する。
【図５】いくつかの実施形態による、ワイヤレス・デバイスのブロック図である。
【図６】いくつかの実施形態による、ワイヤレス・デバイスにおける方法を説明する。
【図７】いくつかの実施形態による、評価期間ごとに生成されるソースごとの１つのＳＩＮＲを説明する図である。
【図８】いくつかの実施形態による、評価期間ごとに異なるソースが使用されうるが、評価期間ごとに生成される１つのＳＩＮＲを説明する図である。
【図９】いくつかの実施形態による、ワイヤレス・デバイスにおける別の方法を説明する。
【図１０】いくつかの実施形態による、ＲＬＭ／ＲＬＦ手順中のパラメータの単一の集合の使用を説明するフローチャートである。
【図１１】いくつかの実施形態による、ＲＬＭ／ＲＬＦ手順中のパラメータの複数の集合の使用を説明するフローチャートである。
【図１２】いくつかの実施形態による、いくつかのパラメータが異なるソースによって共有される、ＲＬＭ／ＲＬＦ手順中のパラメータの複数の集合の使用を説明するフローチャートである。
【図１３】いくつかの実施形態によるネットワーク・ノードのブロック図である。
【図１４】いくつかの実施形態による、ネットワーク・ノードにおける方法を説明する。
【図１５】いくつかの実施形態による、類似のビーム・パターン上のＰＤＣＣＨ及びＤＭＲＳを説明する図である。
【図１６】いくつかの実施形態による、類似の周波数リソース上のＰＤＣＣＨ及びＤＭＲＳを説明する図である。
【図１７】いくつかの実施形態による、モビリティＲＳ及びＰＤＣＣＨリソース構成を説明する図である。
【図１８】いくつかの実施形態による、異なるビーム上のモビリティＲＳ及びＰＤＣＣＨを説明する図である。
【図１９】いくつかの実施形態による、ＰＤＣＣＨ機会を伴うモビリティＲＳ構成を説明する図である。
【図２０】いくつかの実施形態による、すべてのＰＤＣＣＨ機会以外のモビリティＲＳ構成を説明する図である。
【図２１】いくつかの実施形態による、ＲＬＭ周期性を伴うＰＤＣＣＨ機会以外のモビリティＲＳ構成を説明する図である。
【図２２】いくつかの実施形態による、ワイヤレス・デバイスの機能的実装を説明するブロック図である。
【図２３】いくつかの実施形態による、ワイヤレス・デバイスの別の機能的実装を説明するブロック図である。
【図２４】いくつかの実施形態による、ネットワーク・ノードの機能的実装を説明するブロック図である。
【発明を実施するための形態】
【００３５】
上述したように、ＬＴＥにおける共通信号及びチャネルは、全方向性で、すなわちビームフォーミングなしで送信される。すなわち、これは、基地局において多くのアンテナが利用可能であり、信号及びチャネルをビーム形成するために異なる方法でアンテナを組み合わせることができるＮＲの場合ではない。ＮＲにおけるビームフォーミングの大規模な使用の主な結果は、ＬＴＥにおいてはＰＤＣＣＨの品質を推定するためにＣＲＳ品質が使用されうることが非常に明らかであったが、ＮＲにおいてはチャネル及び基準信号がビームフォーミングされうる様々な方法のために、これが不明確になることである。言い換えれば、ＰＤＣＣＨが送信されるのと同じ方法で任意の特定の基準信号が送信されることは、一般的なこととして仮定することができない。ＵＥの観点からのこの曖昧さは、典型的にはリアルタイム・ネットワーク要件に基づいて判定される様々な種類のビームフォーミング方式を介して基準信号及びチャネルがネットワークによって送信されうることに起因する。これらの要件は例えば、基準信号対制御チャネルに起因する無線オーバヘッドに対する異なる許容レベル、又は基準信号対制御チャネルに対する異なるカバレージ要件を含んでもよい。
【００３６】
ＮＲ設計原理からのこれらの２つの課題にもかかわらず、接続モードにあるＮＲ  ＵＥは、ＵＥがネットワークによって到達されうるように自身のセル品質が依然として十分に良好であるかどうかを検証するために、依然としてＲＬＭを実行する必要がある。そうでなければ、上位層に通知されるべきであり、ＵＥ自律動作がトリガされるべきである。
【００３７】
ビームフォーミングが使用されるネットワークにおけるＲＬＭのための第１提案ソリューションは、接続モード・モビリティをサポートするように構成された同じ周期的ＲＳに基づいてＵＥが無線リソース管理（ＲＲＭ）測定を実行することによってＲＬＭを実行することを含む。ネットワーク側では、無線アクセス・ノードがＲＬＭ目的のために再使用されるようにこれらの基準信号を送信するのと同じ方法で、無線アクセス・ノードはダウンリンク制御チャネル情報を送信する。この文脈では、「ＲＬＭを実行する」とは、ＲＲＭ測定を実行し、制御チャネルが同じ方法で、すなわち、同様のビームフォーミング特性及び／又は同様の又は代表的な周波数リソースで送信されたと仮定して、所与のメトリック、例えば、無線信号受信電力（ＲＳＲＰ）の値を、例えば、ブロック誤り率（ＢＬＥＲ）に関して、ダウンリンク制御チャネル品質を表す閾値と比較することを意味する。
【００３８】
このアプローチの１つの態様は、モビリティ測定に使用されるサービング・セルのビーム形成されたＲＳの品質と、非基準信号データから取得されたダウンリンク制御チャネルの品質との相関をネットワークが保証することである。ここで、「相関する」とは、ビーム形成されたＲＳの周波数リソースが、可能な全帯域幅内で、ダウンリンク・チャネルに使用されるものとオーバラップしているか、又は非常に近いことを示す。この相関は、ネットワーク側で、同じビームフォーミング構成（例えば、方向、ビーム幅、電力分布、同じアンテナ・パネルなど）で、そのＵＥのために構成されたモビリティＲＳを送信しているのと同じ方法で、ダウンリンク制御チャネル情報をビームフォーミングすることによって行われる。
【００３９】
図４は、この例示的なシステムによって実行されるＲＬＭを容易にする基準信号送信の原理を説明する。図４の左側に見られるように、各ビームは、主にモビリティ目的のためにＵＥに対して構成されるＲＳを搬送する。「ＵＥに対して構成される」によって意味されることは、接続モードのＵＥがサービング・セル／ビーム信号及び／又は非サービング・セル／ビーム信号に関して、測定及び報告条件に関する情報を提供されることである。様々な実施形態では、これらのＲＳがビーム識別子（ＩＤ）、ビームＩＤプラス・グループＩＤ（例えば、セルＩＤとして理解されてもよい）、又は単にグループＩＤを搬送してもよい。図４の右側に見られるように、ＰＤＣＣＨのようなダウンリンク制御チャネルは、モビリティ目的のために使用されるＲＳと同じビームフォーミング特性を使用して送信される。これは、たとえ異なる時間に送信されたとしても、ＲＳと「同じビーム」でダウンリンク制御チャネルを送信することとして理解されてもよい。
【００４０】
しかし、ＲＲＭ測定の要件を満たすために、モビリティ測定に使用されるこれらのビーム形成されたＲＳは、狭帯域信号（例えば、６つの中央物理リソース・ブロック（ＰＲＢ））であることが想定されてきた。一方、ダウンリンク制御チャネルは、（ＬＴＥ  ＰＤＣＣＨとして）帯域全体で送信されるか、（ＬＴＥ  ｅＰＤＣＣＨ及び場合によってはＮＲにおけるダウンリンク制御チャネル設計として）局所化／分散されることができる。
【００４１】
第２提案ソリューションでは、アクセス・ノードは、モビリティ測定に使用されるビーム形成されたＲＳのバージョンであるが、所与のＵＥのＤＬ制御チャネルの探索空間の同じ周波数リソースにおいて周波数領域で繰り返される新しい信号に基づいて、ＲＬＭ測定を実行できる。モビリティのために使用されるビーム形成されたＲＳのこれらの複数のバージョンはまた、いくつかの追加の時間領域ダイバーシティを提供するために、及び／又はビームフォーミング送信が同等であることを可能にするために、異なるサブフレームにおいて送信されてもよい。
【００４２】
しかし、ＰＤＣＣＨの復調は依然としてＤＭＲＳに基づくので、モビリティのために使用されるＲＳに適用されたビームフォーミングと、ＰＤＣＣＨに適用されたビームフォーミングとの間に不整合がある可能性がある。このような不整合は、ＲＳ及びＰＤＣＣＨの両方の送信が同じ周波数リソース上で構成される場合であっても存在しうる。
【００４３】
第３提案ソリューションでは、ＰＤＣＣＨがＤＭＲＳに基づいて確実に復号されうるように、ＤＭＲＳが既にＰＤＣＣＨと同じリソース上で構成され、同じビームフォーミング・パターンで送信される必要があるので、ＲＬＭは、ＤＭＲＳのようなＵＥ固有のＲＳに基づくことができる。この構成では、このようなＤＭＲＳがＰＤＣＣＨ品質を正確に反映することができ、したがって、ＲＬＭに適している。
【００４４】
しかし、ＤＭＲＳは、ＵＥがＰＤＣＣＨでスケジュールされる場合にのみネットワークによって構成される。ＵＥは、ＰＤＣＣＨが当該ＵＥのためにスケジュールされない場合に、その無線リンク品質を監視することができない。この問題を解決するために、第３提案ソリューションは、ＵＥが任意のＰＤＣＣＨでスケジュールされない場合であっても、ネットワークがＵＥ固有のＲＳ送信でＵＥを構成できるビーム・ベースのシステムにおいて、ＵＥが日和見的な方法でＲＬＭを実行可能にされる場合も含んでもよい。このＵＥ固有のＲＳは、ＤＭＲＳとして、又はＵＥ固有のビームフォーミング・パターン上で送信されるダミーＰＤＣＣＨ送信として構成されうる。このソリューションは、ＲＬＭ機能に対して高い測定精度を提供するが、ＲＬＭ性能におけるこのような利得は余分な無線シグナリング・オーバヘッドを犠牲として得られる。このオーバヘッドは、特に、スケジュールされていないＰＤＣＣＨ持続時間が長い場合、及びＲＬＭ測定を実行する多数のＲＲＣ＿ＣＯＮＮＥＣＴＥＤ  ＵＥが存在する場合に、ネットワーク性能に有害でありうる。
【００４５】
ＲＬＭのために単一のＲＳ構成を使用する場合に制限が存在する。第１及び第２提案ソリューションは、モビリティのために使用され、ＲＬＭのために再使用されるビーム形成された信号の単一の構成のみに依存する。モビリティのために使用されるＰＤＣＣＨ及びＲＳが同じビームフォーミング・パターンを通じて類似のリソース上で両方とも送信される場合に、ＲＬＭ測定は、ＵＥにおいて正確に実行されうる。しかし、ビーム・ベースのシステムにおける本質的な利点の１つは、データ及び制御チャネルの動的かつ日和見的なＵＥ固有の構成である。例えば、ＵＥ固有の伝搬条件を十分に利用することによってデータ・チャネル上でスペクトル効率が最大化されうるように、高いアンテナ指向性を有する遠隔接続モードのＵＥに到達するようにＵＥ固有の狭ビーム幅パターンがネットワークによって形成されうる。制御チャネルはまた、データ・チャネルが常に復号されうることを保証するために、データ・チャネルと同じビーム・パターン上で結合される必要がある。したがって、単一のソースとしてモビリティのために使用されるＲＳは、ＵＥ固有のビーム・パターンが日和見的に構成されるようなビーム・ベースのネットワークにおいて、正確なＲＬＭ性能を与えることができない。要約すると、モビリティのために使用されるビーム形成されたＲＳに基づくソリューションは、低いシグナリング・オーバヘッドを必要とするが、動的なＵＥ固有のビーム構成を有する日和見的なビーム・ベースのネットワークではＲＬＭ測定の精度を高くすることができない。
【００４６】
第３提案ソリューションは、ＲＬＭのためのＵＥ固有のＲＳ（例えば、ＤＭＲＳ）のみに依存する。ＵＥがＰＤＣＣＨでスケジュールされる場合に、ＤＭＲＳがいずれにせよ送信されるので、オーバヘッドは存在しない。しかし、パケット・データの非アクティビティのせいでネットワークによってＰＤＣＣＨがスケジュールされない場合に、日和見的ＲＬＭソリューションは、重大なオーバヘッドをもたらす可能性がある。ＲＬＭ測定を実行するために多数のＲＲＣ＿ＣＯＮＮＥＣＴＥＤ  ＵＥが必要とされる場合に、オーバヘッドの量が特に高くなりうる。各アクティブＵＥは、第３提案ソリューションに従ってＲＬＭを実行するためにＵＥ固有のＲＳに依拠するので、この問題は回避することができない。要約すると、ＵＥ固有のＲＳベースのソリューションは、ビーム・ベースのネットワークにおいて高いＲＬＭ精度を保証できるが、特にユーザ・データ・パケットのトラフィック・パターンが断続的で断片化されている場合に、混雑したビーム・ベースのネットワークにおいてシグナリング・オーバヘッドが高すぎる可能性がある。
【００４７】
したがって、本書では、ＲＬＭ測定中に単一のビーム形成されたＲＳ構成を使用することの内在的な制限が、リーン・シグナリングが本質的な性能インジケータであるビーム・ベースのシステムにおいて性能欠点を与えることであると認識される。各ＲＳタイプは、ビーム・ベースのリーン・システムにおける様々なリンク及びネットワーク条件に応じて、ＲＬＭに対して明らかな優位性を有する。
【００４８】
図５は、いくつかの実施形態による、ワイヤレス・デバイス５０として示される、対応するワイヤレス・デバイスの図を説明する。ワイヤレス・デバイス５０は、セルラ・ネットワークにおけるＵＥのようなネットワークにおいて動作しうる任意のワイヤレス端末を表すとみなされてもよい。他の例は、通信デバイス、ターゲット・デバイス、デバイス・ツー・デバイス（Ｄ２Ｄ）ＵＥ、マシン・タイプＵＥ、すなわちマシン・ツー・マシン通信（Ｍ２Ｍ）が可能なＵＥ、ＵＥを具備するセンサ、ＰＤＡ（携帯情報端末）、タブレット、モバイル端末、スマートフォン、ラップトップ埋め込み型（ＬＥＥ）、ラップトップ搭載機器（ＬＭＥ）、ＵＳＢドングル、顧客宅内装置（ＣＰＥ）などを含んでもよい。
【００４９】
ワイヤレス・デバイス５０は、アンテナ５４及び送受信機回路５６を介して、広域セルラ・ネットワーク内の無線ネットワーク・ノード又は基地局と通信するように構成される。送受信機回路５６は、セルラ通信サービスを使用する目的のために、無線アクセス技術に従って信号を送信及び受信するように集合的に構成された送信機回路、受信機回路、及び関連する制御回路を含んでもよい。この無線アクセス技術は、この議論の目的のためにＮＲである。
【００５０】
ワイヤレス・デバイス５０はまた、無線送受信機回路５６に動作可能に関連付けられた１つ以上の処理回路５２を含む。処理回路５２は、１つ以上のデジタル処理回路６２、例えば、１つ以上のマイクロプロセッサ、マイクロコントローラ、デジタル信号プロセッサ（ＤＳＰ）、フィールド・プログラマブル・ゲート・アレイ（ＦＰＧＡ）、コンプレックス・プログラマブル・ロジック・デバイス（ＣＰＬＤ）、特定用途向け集積回路（ＡＳＩＣ）、又はこれらの任意の混合を備える。より一般的に、処理回路５２は、固定回路、又は本書で教示される機能を実装するプログラム命令の実行を介して具体的に適合されるプログラマブル回路を備えてもよいし、又は固定回路とプログラムされた回路との何らかの混合を備えてもよい。処理回路５２は、マルチコアであってもよい。
【００５１】
処理回路５２はまた、メモリ６４を含む。メモリ６４は、いくつかの実施形態では、１つ以上のコンピュータ・プログラム６６、及び場合によっては構成データ６８を格納する。メモリ６４は、コンピュータ・プログラム６６のための非一時的記憶装置を提供し、ディスク記憶装置、ソリッドステート・メモリ記憶装置、又はこれらの任意の混合のような１つ以上のタイプのコンピュータ可読媒体を備えてもよい。ここで、「非一時的」とは、永続的、半永続的、又は少なくとも一時的に永続的な記憶装置であり、不揮発性メモリ内の長期記憶装置と、例えば、プログラム実行のためのワーキング・メモリ内の記憶装置との両方を包含する。非限定的な例として、メモリ６４は、ＳＲＡＭ、ＤＲＡＭ、ＥＥＰＲＯＭ、及びフラッシュメモリのうちの任意の１つ以上を備え、これらは処理回路５２内にあってもよく、及び／又は処理回路５２とは別個であってもよい。一般に、メモリ６４は、コンピュータ・プログラム６６及びユーザ機器５０によって使用される任意の構成データ６８の一時的でない記憶装置を提供する１つ以上のタイプのコンピュータ可読記憶媒体を備える。処理回路５２は例えば、メモリ６４に格納された適切なプログラム・コードを使用して、以下に詳述する方法及び／又はシグナリング・プロセスのうちの１つ以上を実行するように構成されてもよい。
【００５２】
ワイヤレス・デバイス５０の処理回路５２は、いくつかの実施形態によれば、ビーム形成されたダウンリンク信号内で受信された（任意のビーム障害検出ソースを含む）複数のＲＬＭソースに基づいて測定を実行するように構成され、測定は、所与のセル又はビームの品質を示す。複数のＲＬＭ測定ソースは、１つ以上の第１ＲＳと、１つ以上の第１ＲＳとは異なる、例えば、１つ以上の第１ＲＳとは異なるタイプの１つ以上の第２ＲＳと、ビーム形成されたダウンリンク信号内の非基準信号データから取得された１つ以上の物理チャネル品質インジケータと、のうちの２つ以上を含む。処理回路５２はまた、複数の評価期間のそれぞれについて、及び測定を実行するために使用される複数のＲＬＭ測定ソースのそれぞれについて、個別のＲＬＭ測定ソースについての測定が第１閾値未満であることに応答して、当該測定が非同期状態イベントを示すかどうかを判定するか、又は、個別のＲＬＭ測定ソースについての測定が第２閾値を超えていることに応答して、当該測定が同期状態イベントを示すかどうかを判定するように構成される。処理回路５２はさらに、同期状態イベント及び／又は非同期状態イベントの判定された発生に基づいて、１つ以上の（任意のビーム障害検出動作を含む）ＲＬＭ動作を実行するように構成される。
【００５３】
いくつかの実施形態によれば、処理回路５２は、図６に示されるような方法６００を実行するように構成される。方法６００は、ビーム形成されたダウンリンク信号内で受信された複数のＲＬＭ測定ソースに基づいて測定を実行することを含み、測定は、所与のセル又はビームの品質を示す（ブロック６０２）。複数のＲＬＭ測定ソースは、１つ以上の第１ＲＳと、１つ以上の第１ＲＳとは異なる１つ以上の第２ＲＳと、ビーム形成されたダウンリンク信号内の非基準信号データから取得された１つ以上の物理チャネル品質インジケータと、のうちの２つ以上を含む。方法６００はまた、複数の評価期間のそれぞれについて、及び測定を実行するために使用される複数のＲＬＭ測定ソースのそれぞれについて、個別のＲＬＭ測定ソースについての測定が第１閾値未満であることに応答して、当該測定が非同期状態イベントを示すと判定することを含む（ブロック６０４）。同様に、この方法はまた、複数の評価期間のそれぞれについて、及び測定を実行するために使用される複数のＲＬＭ測定ソースのそれぞれについて、個別のＲＬＭ測定ソースのための測定が第２閾値を上回ることに応答して、当該測定が同期状態イベントを示すと判定することを含んでもよい（ブロック６０６）。一部の場合に、ブロック６０４及び６０６は、ＲＬＦ又はビーム検出障害を宣言するかどうかを判定するより広範なステップの一部とみなされてもよい。より広範なステップはまた、各測定が同期状態イベントを示すか非同期状態イベントを示すかを判定することを含んでもよい。方法６００は、測定に基づいて１つ以上のＲＬＭ動作を実行することをさらに含む。これは、同期状態イベント及び非同期状態イベントの判定された発生に基づいてＲＬＭ動作を実行することを含んでもよい（ブロック６０８）。
【００５４】
様々な場合において、複数のＲＬＭ測定ソースは、任意のＤＭＲＳ又は物理チャネル品質インジケータを含んでもよい。例えば、ＲＬＭ測定ソースは、１次同期信号（ＰＳＳ）と、２次同期信号（ＳＳＳ）と、３次同期信号（ＴＳＳ）と、物理ブロードキャスト・チャネル（ＰＢＣＨ）のために使用されるＤＭＲＳと、のうちの１つ以上と組み合わせて、ビーム形成されたダウンリンク信号内の物理制御チャネル領域に使用されるＤＭＲＳを含んでもよい。ＤＭＲＳは、ＣＳＩ‐ＲＳと、モビリティのために使用されるビーム形成されたＲＳと、ビーム測定基準信号（ＢＲＳ）と、のうちの１つ以上と組み合わせて、物理制御チャネル領域のために使用されてもよい。ＲＬＭ測定ソースはまた、ＰＳＳと、ＳＳＳと、ＴＳＳと、ＰＢＣＨのために使用されるＤＭＲＳと、のうちの１つ以上と組み合わせて、ビーム形成されたダウンリンク信号内の非基準信号データから取得された物理チャネル品質インジケータを含んでもよい。物理チャネル品質インジケータは、ＣＳＩ‐ＲＳと、モビリティのために使用されるビーム形成されたＲＳと、ＢＲＳと、のうちの１つ以上と組み合わせて使用されてもよい。
【００５５】
同期状態イベント及び／又は非同期状態イベントの判定された発生に基づいてＲＬＭ動作を実行することは、閾値回数の連続した非同期状態イベントが発生したと判定することに応答して第１ＲＬＭ動作を実行することと、閾値回数の連続した同期状態イベントが発生したと判定することに応答して第２ＲＬＭ動作を実行することとを含んでもよい。一例で、第１ＲＬＭ動作は、タイマを開始することを含み、第２ＲＬＭ動作は、タイマを停止することを含む。別の例で、第１及び第２ＲＬＭ動作のうちの１つは、上位層通知を提供すること、又はＲＬＦを宣言すること及び／又はビーム障害を宣言することを含む。
【００５６】
いくつかの実施形態で、連続した非同期状態イベントの閾値回数及び連続した同期状態イベントの閾値回数は、複数のＲＬＭ測定ソースの各ＲＬＭ測定ソースについて別々に確立される。他の実施形態で、複数のＲＬＭ測定ソースのうちの１つ以上のものについての連続した非同期状態イベントの閾値回数及び／又は連続した同期状態イベントの閾値回数は、異なるＲＬＭ測定ソースによって共有される。
【００５７】
見て取れるように、これらの実施形態には、非同期状態測定閾値（Ｑｏｕｔ）、同期状態測定閾値（Ｑｉｎ）、非同期状態発生回数閾値（Ｎ１）、同期状態発生回数閾値（ｎ２）、及びタイマ値（Ｔ１）といういくつかのパラメータが含まれてもよい。異なるソースは、パラメータのいずれか、又は異なるパラメータを使用できる。そして、各異なるソースはＲＬＭ中にそれ自身の手順を有することができ、又はこれに代えて、異なるＲＬＭ測定ソースがＲＬＭ中の１つの手順において使用されうる。
【００５８】
本書で説明される実施形態では簡潔にするためにＲＬＭのみが言及されるが、ＲＬＭは上述のように、ＲＬＭの形態としてビーム障害検出を含むことを意味する。
【００５９】
方法６００は、複数のＲＬＭ測定ソースのうちの１つ以上のものについての構成情報を受信することと、構成情報に基づいて測定を実行することとを含んでもよい。
【００６０】
ＲＬＭ（及びビーム障害検出）のための測定を実行するための様々な方法が存在してもよい。第１代替方法で、ワイヤレス・デバイス（例えば、ＵＥ）は、自身の構成されたＰＤＣＣＨを監視し、データが所与のサブフレーム内にスケジュールされる場合に、ＵＥは品質推定を計算するためにＰＤＣＣＨ  ＤＭＲＳを日和見的に使用すべきである。これは、例えば、Ｘ個の無線フレーム（例えば、２０個の無線フレーム＝２００ｍｓ）であってもよい、評価期間と呼ばれる予め定義された間隔において、複数のＰＤＣＣＨ機会にわたってさらに平均化されるＳＩＮＲ値であってもよい。同時に、同じ評価期間内に、ＵＥは追加のソースを測定してもよく、これは、第１ソースを測定する場合、ＳＳブロックＲＳ（例えば、ＰＳＳ／ＳＳＳ／ＴＳＳ又はＰＢＣＨのためのＤＭＲＳ）を測定することを意味しうる。第２ソースを測定する場合に、これはＣＳＩ‐ＲＳであり得、したがって、ＵＥはまた、平均化された品質推定（例えば、同じ期間にわたって追加のソースに関連付けられたＳＩＮＲ）を生成する。したがって、この第１代替で、各ＲＬＭ評価期間について、ソースごとに１つのＳＩＮＲ推定のような１つの平均品質推定が存在することになる。
【００６１】
この第１代替の実施形態で、方法６００は、複数のＲＬＭ測定ソースに基づいて測定を実行することを含んでもよく、これは、ビーム形成されたダウンリンク信号のうちの１つ以上の制御チャネル領域であって、ワイヤレス・デバイスのための制御チャネル・メッセージに関連付けられた制御チャネル領域を監視することを含む。データが制御チャネル領域の所与のサブフレームにスケジュールされると判定することに応答して、本方法は、評価期間中に、１つ以上の第１ＲＳを使用して第１品質推定を計算することによって第１測定を判定することを含んでもよく、第１ＲＳは、制御チャネル領域内のＤＭＲＳである。本方法は、評価期間中に、１つ以上の第２ＲＳを使用して第２品質推定を計算することによって第２測定を判定することをさらに含んでもよく、１つ以上の第２ＲＳは、１つ以上のＰＳＳと、１つ以上のＳＳＳと、１つ以上のＴＳＳと、ＰＢＣＨに使用される１つ以上のＤＭＲＳと、ＣＳＩ‐ＲＳのうちの１つ以上と、モビリティに使用される１つ以上のビーム形成されたＲＳと、１つ以上のＢＲＳと、のうちの１つである。第１品質推定は、評価期間にわたって１つ以上の第１ＲＳから測定された第１無線信号メトリックの平均として計算されてもよく、第２品質推定は、評価期間にわたって１つ以上の第２ＲＳから測定された第２無線信号メトリックの平均として計算されてもよい。
【００６２】
この品質推定、又は平均品質推定は、ＳＩＮＲであってもよい。図７は、評価期間ごと、ソースごとに１つのＳＩＮＲの生成を示す。例えば、図７は、評価期間７０２、７０４及び７０６を示す。言い換えると、Ｋ個のソースが規定されるならば、期間当たりＫ個のＳＩＮＲ値が存在することになる。この実施形態の一側面は、測定評価期間ごとにＫ個のＲＬＭソースについて、Ｋ個の品質推定（例えば、ＳＩＮＲ値）が生成されることである。現在のシステムで、単一のソースに基づく単一の品質推定のみが生成される（ＬＴＥの場合のＣＲＳ）。図８は、評価期間ごとに１つのＳＩＮＲが生成される実施形態を示すが、評価期間ごとに異なるソースが使用されうる。例えば、第１評価期間７０２において、ＰＤＣＣＨ  ＤＭＲＳは、ＳＩＮＲ平均を計算するために使用される。次の評価期間７０４で、ＳＳブロックＲＳ又はＣＳＩ‐ＲＳが使用される。
【００６３】
ＲＬＭのための測定を実行するための第２代替で、１次ＲＬＭソース及び２次ＲＬＭソースの概念が導入される。この実施形態で、ＵＥは、ＲＬＭ測定を実行するために、１次ＲＬＭソースに関連付けられたＲＬＭの実行を常に開始し、それが存在しないか、又は十分なサンプルを提供しないならば、ＵＥは２次ソースを使用すべきである。例えば、ＰＤＣＣＨ  ＤＭＲＳは、おそらく、データがＵＥにスケジュールされている場合にのみ利用可能で１次ソースでありうる。次いで、ＰＤＣＣＨを監視する場合に、ＵＥは、評価期間の先頭から所与の時間間隔（例えば、最初のＸ個の無線フレーム）内にＰＤＣＣＨの発生回数が十分である可能性がある（すなわち、構成可能な閾値を超える）かどうかを検出すべきである。これは図８の評価期間７０４における間隔８０２によって示される。これらが十分である（例えば、最初のＸ個の無線フレーム内のＰＤＣＣＨ機会が閾値を満たす）ならば、ＵＥはそれを当該測定評価期間７０４のためのＲＬＭソースとして、又は少なくとも評価期間７０４の残り８０４として使用し続けるべきである。間隔８０２の間の発生回数が十分でない（例えば、最初のＸ個の無線フレーム内のＰＤＣＣＨ機会が閾値よりも低い）ならば、ＵＥは、追加の予想されるソースの探索を開始するべきである。その後、ＵＥは、現在の測定、過去の測定、履歴の信頼性、他のソースが利用可能又は検出されうるかのような複数の要因に基づいて選択されうる、２次ソースに今や基づいて、当該同じ測定評価期間７０４について、ＳＩＮＲ推定のような品質推定を実行することになる。したがって、この第２代替で、各測定評価期間について、１次又は２次ソースのいずれかに関連付けることができるＳＩＮＲ推定のような単一の品質推定が存在する。
【００６４】
現在のシステムでは、単一のソースが常に使用されることに留意されたい（ＬＴＥにおけるＣＲＳ）。実施形態の１つの側面は、各測定評価期間についてのＳＩＮＲ推定のような品質推定が異なるＲＬＭソースに基づいて生成されていてもよいことである。例えば、第１期間７０２では（スケジュールされたデータが存在したので）ＰＤＤＣＨのためのＤＭＲＳが使用されるが、第２評価期間７０４ではＰＤＣＣＨのＤＭＲＳからの十分なサンプルが存在しないので、ＮＲ‐ＳＳ又はＣＳＩ‐ＲＳが使用される。
【００６５】
したがって、いくつかの実施形態で、ワイヤレス・デバイス５０の処理回路５２は、方法９００を実行するように構成される。方法９００は、評価期間の第１時間間隔中に、ビーム形成されたダウンリンク信号内で受信されたＲＬＭ測定ソースを使用して測定を実行することを含み、測定は、所与のセル又はビームの品質を示す（ブロック９０２）。ＲＬＭ測定ソースは、１つ以上の第１ＲＳと、１つ以上の第１ＲＳとは異なる（例えば、異なるタイプの）１つ以上の第２ＲＳと、ビーム形成されたダウンリンク信号内の非基準信号データから取得された１つ以上の物理チャネル品質インジケータと、のうちの１つを含む。方法９００はまた、評価期間の先頭から第１時間間隔中のソースの発生回数を判定することを含む（ブロック９０４）。方法９００は、発生回数が発生閾値を満たしたと判定することに応答して、評価期間の残りの間、１次ソースとしてソースを使用して測定を実行し続けること（ブロック９０６）と、発生回数が発生閾値を満たさないと判定することに応答して、２次ソースとして、１つ以上の第１ＲＳと、１つ以上の第２ＲＳと、ビーム形成されたダウンリンク信号内の非基準信号データから取得された１つ以上の物理チャネル品質インジケータと、のうちの異なる１つを選択し、代わりに、評価期間の残りの間、２次ソースを使用して測定を実行すること（ブロック９０８）とを含む。方法９００は、１次ソース及び２次ソースのうちの少なくとも１つを使用して実行された測定に基づいて、１つ以上のＲＬＭ動作を実行することをさらに含む（ブロック９１０）。
【００６６】
１次ソースを使用して測定を実行することは、１次ソースから取得された１つ以上の第１無線信号メトリックから評価期間のための第１品質推定を計算することを含んでもよく、２次ソースを使用して測定を実行することは、２次ソースから取得された１つ以上の第２無線信号メトリックから評価期間のための第２品質推定を計算することを含んでもよい。その後、方法９００は、発生回数が発生閾値を満たしたと判定することに応答して、第１品質推定に基づいて１つ以上のＲＬＭ動作を実行することと、発生回数が発生閾値を満たさなかったと判定することに応答して、第２品質推定に基づいてＲＬＭ動作を実行することとをさらに含んでもよい。
【００６７】
様々な場合において、１次ソースは、ビーム形成されたダウンリンク信号の制御チャネル領域内の１つ以上のＤＭＲＳであり、２次ソースは、１つ以上のＰＳＳと、１つ以上のＳＳＳと、１つ以上のＴＳＳと、ＰＢＣＨに使用される１つ以上のＤＭＲＳと、ＣＳＩ‐ＲＳの１つ以上と、１つ以上のＭＲＳと、１つ以上のＢＲＳと、のうちの１つである。一部の場合に、１次及び２次ソースに使用されるソースが切り換えられてもよい。
【００６８】
ＲＬＭのための測定を実行するための第３代替で、１次ソースが十分な機会を提供しないことを検出し、２次ソースの使用を開始した後、ＵＥは、サンプルを廃棄せず、１次ソースのさらなる又は新しい発生を待つ。十分な回数の新しい発生が存在するならば、期間の末尾に、ＵＥは２つのＳＩＮＲを生成し、１つは１次ソースに関連付けられ、もう１つは２次ソースに関連付けられる。ここで、期間ことに生成される単一のＳＩＮＲ値が存在してもよいし、周期ごとに複数のＳＩＮＲ値が存在してもよい。単一のソースの場合、当該ソースは期間ごとに変化してもよい。
【００６９】
したがって、いくつかの実施形態で、方法９００は、２次ソースを使用して測定を実行し始めた後に、評価期間中に１次ソースの新たな発生の閾値回数が発生したと判定することに応答して、評価期間中に１次ソースを使用して測定を実行することを継続することを含む。測定に基づいてＲＬＭ動作を実行することは、１次ソースを使用して実行された測定を使用するかどうかを選択することを含んでもよい。測定は、個別の測定に基づいて、２次ソースを使用して、又は両方を使用して実行され、選択に基づいてＲＬＭ動作を実行してもよい。
【００７０】
これらの代替のいずれについても、２次ソースが同期信号（ＳＳ）ブロック集合で送信された信号である場合に、ＵＥは、ＰＤＣＣＨのためのＤＭＲＳの不存在を検出した後、当該信号を期待できる。ＣＳＩ‐ＲＳの場合に、ＵＥは、そのサービング・セルのためのＣＳＩ‐ＲＳ構成に応じて、当該無線フレーム内でのその発生を待つ必要があってもよい。一部の場合に、ＵＥは、ＰＤＣＣＨについてのＳＩＮＲ平均を実際に実行せず、（おそらく、ＰＤＣＣＨ探索空間内の周波数領域内の複数のリソース要素にわたって）当該特定のスケジュールされたサブフレームに関連付けられたＣＱＩレポートのような他の品質インジケーションを使用する。しかし、ＰＤＣＣＨが等しく存在しないならば、サービング・セル内の追加のソースを探索するトリガは同様でありうる。
【００７１】
上述した最初のステップはＵＥが測定を実行するものであるが、測定を実行する前に、ＵＥは例えば、（ＲＲＣ＿ＣＯＮＮＥＣＴＥＤへの遷移時に、又はハンドオーバを介して）セルに接続する時点で、ネットワークによってＲＬＭに関連付けられた測定構成を提供されていてもよいことに留意されたい。ＰＤＣＣＨ  ＤＭＲＳの場合に、ＵＥには、そのＰＤＣＣＨ探索空間の時間間隔の部分集合を提供されうる。追加のソースがＮＲ‐ＳＳである場合に、ＵＥは、モビリティ測定イベント（例えば、Ａ１〜Ａ６又は同等物）のために使用されるものとは異なってもよい時間領域フィルタリング・パラメータを用いて構成されうる。ＣＳＩ‐ＲＳが追加のＲＬＭソースとして使用される場合に、ＵＥはＲＬＭ目的のためだけに追加の構成を受信してもよく、これは、周波数領域におけるＰＤＣＣＨ探索空間を、（ネットワークがＰＤＣＣＨをビーム形成するのと同じ方法でビーム形成される）ＲＬＭについてのＣＳＩ‐ＲＳ発生と一致させるようにネットワークに柔軟に与える。例えば、ビーム管理のために使用されるＣＳＩ‐ＲＳはかなり頻繁に、ある帯域幅ＢＷ＿ＣＳＩ‐ＲＳで送信されてもよく、一方、ＵＥは、ＰＤＣＣＨのものと一致するＣＳＩ‐ＲＳ帯域幅の特定の部分上でＲＬＭが測定するように構成されてもよい。
【００７２】
したがって、いくつかの実施形態で、方法９００は、ワイヤレス・デバイスが複数のＲＬＭ測定ソースのうちの１つ以上のものについて構成情報をネットワークから受信することと、構成情報に基づいて測定を実行することとを含む。他の実施形態で、方法９００は、１次ソース及び２次ソースのうちの少なくとも１つについての構成情報を受信することと、構成情報に基づいて測定を実行することとを含む。
【００７３】
ＲＬＭ測定を同期状態イベント又は非同期状態イベントのいずれかにマッピングするための様々な方法が存在してもよい。所与のＲＬＭ測定評価期間内にＲＬＭソースごとに平均ＳＩＮＲ（又は他の品質メトリック）測定が利用可能になると、ＵＥは、ソースごとのＳＩＮＲ（又は他の品質推定）値を、評価期間ごとの同期状態イベント及び非同期状態イベントにマッピングする。このステップは、少なくとも２つの異なる代替を含んでもよい。１つの代替で、ＵＥは、評価間隔（又は任意の他の事前規定されたＲＬＭ時間間隔）ごとに、ＳＩＮＲ推定のような単一の品質推定を有する。単一の品質推定は、複数のソースのうちの１つから生成されるか、又は複数のソースのうちの１つに関連付けられる。別の代替で、ＵＥは、評価間隔（又は他の事前規定されたＲＬＭ時間間隔）ごとのＲＬＭソースごとに１つの品質推定を有し、ＵＥはそれを生成するために使用されたソースごとに１つの品質推定を有する。
【００７４】
評価期間ごとに単一の品質推定の場合に、間欠受信（ＤＲＸ）が構成されていない場合に、単一の品質推定が、構成された閾値（Ｑｏｕｔ）よりも悪くなったときに、ＵＥは、各評価期間に対して１つの非同期状態イベントをトリガする。同様に、ＤＲＸなしで、品質推定が、構成された閾値（Ｑｉｎ）よりも良くなったときに同期状態がトリガされる。測定評価期間において非同期状態イベントが検出されると、ＵＥは、（より短いものでありうる別の同期状態評価期間内に）同期状態の評価を開始する。非同期状態及び同期状態の発生は、ＵＥの物理層によってその上位層に内部的に報告され、次いで、これは、ＲＬＦの評価のために第３層（すなわち、上位層）フィルタリングを適用してもよい。
【００７５】
第１アプローチでは、どのソースが使用されているかにかかわらず、評価期間ごとに閾値Ｑｉｎ及びＱｏｕｔが構成される。したがって、ＲＬＭ回復動作は、おそらく複数のソースからの非同期状態イベントの混合された発生に基づいてトリガされてもよい。どのＲＬＭソースが非同期状態及び同期状態イベントをインクリメントする責任を負ったかにかかわらず、非同期状態及び同期状態の発生は、ＵＥの物理層によってその上位層に内部的に報告される。
【００７６】
この第１アプローチによれば、測定に基づいてＲＬＭ動作を実行するための方法の実施形態は、評価期間の残りの間に使用された１次ソース又は２次ソースのいずれかに対して取得された測定が第１閾値未満であることに応答して当該測定が非同期状態イベントを示すと判定すること、又は当該測定が第２閾値を超えることに応答して当該測定が同期状態イベントを示すと判定することを含んでもよい。その後、本方法は、同期状態イベント及び非同期状態イベントの判定された発生に基づいてＲＬＭ動作を実行することを含んでもよい。
【００７７】
第２アプローチでは、どのソースが使用されているかにかかわらず、閾値Ｑｉｎ及びＱｏｕｔが評価期間ごとに構成される。しかし、インクリメントはＲＬＭソースごとに行われる。したがって、閾値は同じであるが、ＲＬＭ回復動作はソースごとの非同期状態イベントの発生に基づいてトリガされてもよい。非同期状態及び同期状態の発生は、ソースごとにＵＥの物理層によってその上位層に内部的に報告される。
【００７８】
この第２アプローチによれば、測定に基づいてＲＬＭ測定動作を実行する実施形態は、測定を実行するために使用される各ＲＬＭ測定ソースについて、評価期間中の個別のＲＬＭ測定ソースについての測定が第１閾値未満であることに応答して当該測定が非同期状態イベントを示すと判定することと、評価期間中の個別のＲＬＭ測定ソースについての測定が第２閾値を超えることに応答して当該測定が同期状態イベントを示すと判定することとを含む。その後、本方法は、同期状態イベント及び非同期状態イベントの判定された発生に基づいて１つ以上のＲＬＭ動作を実行することを含む。
【００７９】
いくつかの実施形態で、同期状態イベント及び非同期状態イベントの判定された発生に基づいてＲＬＭ動作を実行することは、閾値回数の連続した非同期状態イベントが発生したと判定することに応答して第１ＲＬＭ動作を実行することと、閾値回数の連続した同期状態イベントが発生したと判定することに応答して第２ＲＬＭ動作を実行することとを含む。第１ＲＬＭ動作はタイマをトリガすることを含んでもよく、第２ＲＬＭ動作はタイマを停止することを含んでもよい。他の実施形態で、第１及び第２ＲＬＭ動作のうちの１つは、上位層通知を提供すること、ＲＬＦを宣言すること、又はビーム障害を宣言することを含む。
【００８０】
一部の場合に、連続した非同期状態イベントの閾値回数及び連続した同期状態イベントの閾値回数は、１次ソース及び２次ソースのそれぞれについて別々に確立される。
【００８１】
ＲＬＭ動作を実行するこのステップのための第３アプローチで、閾値Ｑｉｎ及びＱｏｕｔは、評価期間ごと及びＲＬＭ測定ソースごとに構成される。すなわち、所与のＳＩＮＲ推定のような所与の品質推定について、１つのＲＬＭ測定ソースについての非同期状態イベントがインクリメントするが、他のＲＬＭ測定ソースについてはインクリメントしないように、ＲＬＭ測定ソースごとに異なる値が存在しうる。第２アプローチと同様に、インクリメントは、ＲＬＭ測定ソースごとに行われる。したがって、ＲＬＭ回復動作は、ソースごとの非同期状態イベントの発生に基づいてトリガされてもよく、上位層に依存して動作が異なる可能性もあるので、異なる閾値が適用されうる。非同期状態及び同期状態の発生はソースごとにＵＥの物理層によってその上位層に内部的に報告され、次いで、これはＲＬＦの評価のために上位層フィルタリングを適用してもよい。
【００８２】
一部の場合に、１次及び２次ソースのうちの１つについての連続した非同期状態イベントの閾値回数及び連続した同期状態イベントの閾値回数のうちの少なくとも１つは、１次及び２次ソースとは異なるＲＬＭ測定ソースによって共有される。
【００８３】
複数の（ソースごとの）品質推定が評価期間ごとに行われてもよい（すなわち、複数のＳＩＮＲ値）。評価期間ごとの複数のＳＩＮＲ推定のような複数の品質推定の第１例で、ＵＥは、評価期間ごとに単一の品質推定（ＳＩＮＲ推定）を選択する。非同期状態又は同期状態イベントを検出するために、ＵＥは、ソースからの品質推定を組み合わせてもよい。上述の期間ごとの単一の品質推定（ＳＩＮＲ推定）の使用に基づく前述の記載は、このアプローチにも適用してもよい。
【００８４】
第２例で、ＵＥは、複数の品質推定を使用して、ソースごとに非同期状態イベント及び同期状態イベントを独立してインクリメントできる。ここで、期間ごとの１つのインクリメントの代わりに、各品質推定に依存してソースごとに１つずつ、複数のインクリメントが存在しうることを除いて、評価期間ごとの単一の品質推定の場合の第２及び第３アプローチも適用される。
【００８５】
動作を実行することは、ＵＥが同期状態及び非同期状態イベントの発生に依存して、ＲＬＭ関連イベント（例えば、タイマを開始すること、上位層への通知、ＲＬＦ宣言など）を生成又は監視することを含んでもよい。非同期状態イベント及び同期状態イベントの判定されたインクリメントは、上位層に報告されてもよく、イベントの最大数の閾値が構成される。ＵＥは、タイマＴ１がトリガされうるように、非同期状態イベントの回数が事前規定された閾値Ｎ１よりも高いかどうか、又はタイマＴ１が停止されうるように、同期状態イベントの回数がリンク回復を示す別の閾値Ｎ２よりも高いかどうかを、各期間について検証できてもよい。
【００８６】
上述した様々なアプローチによれば、上位層に、測定評価期間ごとの非同期状態イベント又は同期状態イベントの発生、又はＲＬＭ測定ソースごとで測定評価期間ごとの非同期状態イベント又は同期状態イベントの発生が提供されてもよい。
【００８７】
イベントが期間ごとにのみ通知される場合に、上位層は構成された２つの閾値、すなわち、非同期状態イベントのためのＮ１及び同期状態イベントのためのＮ２と、Ｎ１回の非同期状態イベントが満たされた場合にトリガされ、Ｎ２回の同期状態イベントが満たされた場合に停止されるタイマＴ１とを有する。タイマＴ１が満了したならば、ＵＥは、回復動作をトリガできる。
【００８８】
イベントが周期ごと及びソースごとに上位層に通知される場合に、非同期状態イベントについてはＮ１、同期状態イベントについてはＮ２、ソースごとにタイマＴ１など、複数の閾値が構成される可能性がある。そうすることによって、ＵＥ及びネットワークは、問題が検出されたＲＬＭ測定ソースに依存して閾値及び動作を規定する可能性を有する。すなわち、互いにやり取りすることなく実行される複数のＲＬＭ手順が存在する。
【００８９】
別のアプローチは、各ソースが自身のＮ１及びＮ２を有するが、すべてのソースによって共有される１つのタイマＴ１だけが存在することである。ソース１のＮ１回の非同期状態イベントが満たされた場合に、タイマＴ１がトリガされる。ソース２のＮ２回の同期イベントが満足された場合に、タイマＴ１が停止される。すなわち、互いにやり取りして実行される複数のＲＬＭ手順が存在する。
【００９０】
図１０〜１２は、ＲＬＭ手順中に複数のＲＬＭ測定ソースを使用するこれらの様々な変形のいくつかを示す。図１０は、ＲＬＭ／ＲＬＦ手順中にすべてのＲＬＭ測定ソースによって使用されるパラメータの集合が１つしか存在しないケースである。図１１は、各ＲＬＭ測定ソースによって独立して使用されるパラメータの複数の集合が存在する場合の別のケースである。図１２は、いくつかのパラメータが異なるソースによって共有され、いくつかが異なるソースによって排他的に使用される中間の例を示す。図１０のステップ１００２は、図１０〜１２のすべてを代表するものとして、ＵＥが１つ以上のソース（例えば、ＣＳＩ‐ＲＳ、ＳＳブロック信号など）に基づいてＲＬＭ測定を実行することを示す。
【００９１】
より詳細に、図１０は、ＵＥがＲＬＭ／ＲＬＦ手順中にパラメータの単一の集合を使用すること（ブロック１００４）を示す。その後、測定又は品質推定が非同期状態閾値（Ｑｏｕｔ）よりも低いかどうかが判定される（判定１００６）。そうであれば、非同期状態イベント・カウンタがインクリメントされる（ブロック１００８）。非同期状態イベントの回数が閾値回数（Ｎ１）を満たすと判定された場合（判定１０１０）、タイマＴ１が開始される（ブロック１０１２）。
【００９２】
測定又は品質推定が非同期状態閾値（Ｑｏｕｔ）よりも低くなく、実際に、測定又は品質推定が同期状態閾値（Ｑｉｎ）よりも高いと判定されたならば（判定１０１４）、同期状態イベント・カウンタがインクリメントされる（ブロック１０１６）。同期状態イベントの回数が閾値回数（Ｎ２）を満たすと判定された場合（判定１０１８）、タイマＴ１は停止される（ブロック１０２０）。
【００９３】
いくつかの実施形態で、ＵＥは、第１ソースの品質が第１閾値を下回るか、又は第２ソースが第２閾値（例えば、Ｑｏｕｔ、Ｑｉｎ、Ｎ１、Ｎ２）を下回る場合に、ＲＬＦ又はビーム障害を宣言する。一部の場合に、第１閾値と第２閾値は同じである。他の場合に、第１閾値と第２閾値とは異なる。
【００９４】
図１１は、ＵＥがＲＬＭ／ＲＬＦ手順中にパラメータの複数の集合を使用することを示し、各集合は、ソースＸのような１つのソースのためのものである（ブロック１１０２）。その後、ソースＸについての測定又は品質推定がソースＸについての非同期状態閾値（Ｑｏｕｔ＿Ｘ）よりも低いかどうかが判定される（判定１１０４）。そうであれば、ソースＸについての非同期状態イベント・カウンタがインクリメントされる（ブロック１１０６）。ソースＸについての非同期状態イベントの回数がソースＸの閾値回数（Ｎ１＿Ｘ）を満たすと判定された場合（判定１１０８）、ソースＸについてのタイマＴ１＿Ｘが開始される（ブロック１１１０）。
【００９５】
ソースＸについての測定又は品質推定がソースＸについての非同期状態閾値（Ｑｏｕｔ＿Ｘ）よりも低くなく、実際に、測定又は品質推定がソースＸについての同期状態閾値（Ｑｉｎ＿Ｘ）よりも高いと判定されたならば（判定１１１２）、同期状態イベント・カウンタがソースＸについてインクリメントされる（ブロック１１１４）。ソースＸについての同期状態イベントの回数がソースＸについての閾値回数（Ｎ２＿Ｘ）を満たすと判定された場合（判定１１１６）、ソースＸについてのタイマＴ１＿Ｘが停止される（ブロック１１１８）。
【００９６】
図１２は、いくつかのパラメータが異なるソースによって共有されるＲＬＭ／ＲＬＦ手順中に、ＵＥがパラメータの複数の集合を使用すること（ブロック１２０２）を示す。その後、ソースＸについての測定又は品質推定がソースＸについての非同期状態閾値（Ｑｏｕｔ＿Ｘ）よりも低いかどうかが判定される（判定１２０４）。そうであれば、ソースＸについての非同期状態イベント・カウンタがインクリメントされる（ブロック１２０６）。ソースＸについての非同期状態イベントの回数が閾値回数（Ｎ１）を満たすと判定された場合（判定１２０８）、タイマＴ１が開始される（ブロック１２１０）。
【００９７】
ソースＸについての測定又は品質推定がソースＸについての非同期状態閾値（Ｑｏｕｔ＿Ｘ）よりも低くなく、実際に、測定又は品質推定がソースＸについての同期状態閾値（Ｑｉｎ＿Ｘ）よりも高いと判定されたならば（判断１２１２）、同期状態イベント・カウンタがソースＸについてインクリメントされる（ブロック１２１４）。ソースＸについての同期状態イベントの回数が閾値回数（Ｎ２）を満たすと判定された場合（判定１２１６）、タイマＴ１が停止される（ブロック１２１８）。
【００９８】
図１３は、ワイヤレス通信ネットワークのアクセス・ノードの観点から、これらの開示された技術のうちの１つ以上を実行するように構成されてもよいネットワーク・ノード３０の図を説明する。ネットワーク・ノード３０は、基地局、無線基地局、基地送受信局、発展型ノードＢ（ｅノードＢ）、ノードＢ、又は中継ノードのような任意の種類のネットワーク・アクセス・ノードでありうる。以下で説明する非限定的な実施形態では、ネットワーク・ノード３０がＮＲネットワーク内のセルラ・ネットワーク・アクセス・ノードとして動作するように構成されるものとして説明される。
【００９９】
当業者は例えば、処理回路３２による実行のための適切なプログラム命令の変更及び／又は追加を通じて、本書で説明される方法及びシグナリング・プロセスのうちの１つ以上を実行するように、各タイプのノードをどのように適合させてもよいかを容易に理解するだろう。
【０１００】
ネットワーク・ノード３０は、無線端末、他のネットワーク・アクセス・ノード、及び／又はコア・ネットワーク間の通信を容易にする。ネットワーク・ノード３０は、コア・ネットワーク内の他のノード、無線ノード、及び／又はデータ及び／又はセルラ通信サービスを提供するためのネットワーク内の他のタイプのノードと通信するための回路を含む通信インタフェース回路３８を含んでもよい。ネットワーク・ノード３０は、アンテナ３４及び送受信機回路３６を使用してワイヤレス・デバイスと通信する。送受信機回路３６は、セルラ通信サービスを提供するために、無線アクセス技術に従って信号を送信及び受信するように集合的に構成されている送信機回路、受信機回路、及び関連する制御回路を含んでもよい。
【０１０１】
また、ネットワーク・ノード３０は、送受信機回路３６及び一部の場合に通信インタフェース回路３８に動作可能に関連付けられた１つ以上の処理回路３２を含む。説明を簡単にするため、１つ以上の処理回路３２を「処理回路３２」又は「処理回路構成３２」と呼る。この処理回路３２は、１つ以上のデジタル・プロセッサ４２、例えば、１つ以上のマイクロプロセッサ、マイクロコントローラ、ＤＳＰ、ＦＰＧＡ、ＣＰＬＤ、ＡＳＩＣ又はこの任意の組み合わせを含む。より一般的に、処理回路３２は、固定回路、又は本書で教示される機能を実装するプログラム命令の実行を介して具体的に構成されるプログラマブル回路を備えてもよく、又は固定回路とプログラムされた回路との何らかの混合を備えてもよい。プロセッサ４２はマルチコア、すなわち、性能の向上、電力消費の低減、及び複数のタスクのより効率的な同時処理のために利用される２つ以上のプロセッサ・コアを有してもよい。
【０１０２】
処理回路３２はまた、メモリ４４を含む。メモリ４４は、いくつかの実施形態で、１つ以上のコンピュータ・プログラム４６、及びオプションとして構成データ４８を格納する。メモリ４４は、コンピュータ・プログラム４６のための非一時的記憶装置を提供し、ディスク記憶装置、ソリッドステート・メモリ記憶装置、又はこれらの任意の混合のような１つ以上のタイプのコンピュータ可読媒体を備えてもよい。非限定的な例として、メモリ４４はＳＲＡＭ、ＤＲＡＭ、ＥＥＰＲＯＭ、及びフラッシュメモリのうちの任意の１つ以上を含み、これらは、処理回路３２内にあってもよく、及び／又は処理回路３２とは別個であってもよい。一般に、メモリ４４は、コンピュータ・プログラム４６及びネットワーク・アクセス・ノード３０によって使用される任意の構成データ４８の一時的でない記憶装置を提供する１つ以上のタイプのコンピュータ可読記憶媒体を備える。処理回路３２は例えば、メモリ４４に格納された適切なプログラム・コードを使用することによって、以下に詳述する方法及び／又はシグナリング・プロセスのうちの１つ以上を実行するように構成されてもよい。
【０１０３】
ネットワーク・ノード３０の処理回路３２は、いくつかの実施形態によれば、ビーム形成されたダウンリンク信号において、複数のＲＬＭ測定ソースを送信するように構成され、複数のＲＬＭ測定ソースは、１つ以上の第１ＲＳと、１つ以上の第１ＲＳとは異なる１つ以上の第２ＲＳとを含む。上記の議論を考慮して、受信ワイヤレス・デバイスは、いくつかの実施形態で、ビーム形成されたダウンリンク信号内の非基準信号データから取得された１つ以上の物理チャネル品質インジケータと併せて、これらのソースのうちの１つ又は両方を使用してもよいことが理解されるだろう。処理回路３２はまた、ビーム形成されたダウンリンク信号内で受信された複数のＲＬＭ測定ソースに基づいて測定を実行するようにワイヤレス・デバイスを構成するように構成され、測定は、所与のセル又はビームの品質を示す。その後、ワイヤレス・デバイスは、測定から判定された同期状態イベント及び非同期状態イベントの発生に基づいて、１つ以上のＲＬＭ動作を実行できるようにされる。
【０１０４】
物理的実装にかかわらず、いくつかの実施形態によれば、処理回路３２は、図１４に示されるように、ネットワーク・ノード３０のようなワイヤレス通信システムのアクセス・ノードにおける方法１４００を実行するように構成される。方法１４００は、ビーム形成されたダウンリンク信号において、複数のＲＬＭ測定ソースを送信することを含み（ブロック１４０２）、複数のＲＬＭ測定ソースは、１つ以上の第１ＲＳと、１つ以上の第１ＲＳとは異なる１つ以上の第２ＲＳとを含む。方法１４００はまた、ビーム形成されたダウンリンク信号内で受信された複数のＲＬＭ測定ソースに基づいて測定を実行するようにワイヤレス・デバイスを構成することを含み、測定は、所与のセル又はビームの品質を示し、ワイヤレス・デバイスは、測定から判定された同期状態イベント及び非同期状態イベントの発生に基づいて１つ以上のＲＬＭ動作を実行できるようにされる（ブロック１４０４）。複数のＲＬＭ測定ソースは、前述したように、ＤＭＲＳ又は物理チャネル品質インジケータを含んでもよい。
【０１０５】
ＵＥがＰＤＣＣＨでスケジュールされる場合に、ＵＥは、ＰＤＣＣＨと同じアンテナ・ポートを介して送信されるＤＭＲＳに基づいてＰＤＣＣＨ品質を推定してもよい。このアプローチに対応する伝送構成が、図１５及び１６に説明される。図１５は、同様のビーム・パターン上の（、及び同じアンテナ・ポート上で送信される‐ＤＭＲＳはＰＤＣＣＨが送信されるチャネルを推定するために使用されるので、これは必要である）ＰＤＣＣＨ及びＤＭＲＳを説明する。図１６は、同様の周波数リソース上のＰＤＣＣＨ及びＤＭＲＳを説明する。
【０１０６】
ＵＥがいずれのＰＤＣＣＨでもスケジューリングされない場合に、ＵＥは、ＭＲＳ、ＳＳ、ＣＳＩ‐ＲＳなどに従ってＵＥに送信されると仮定されるＲＬＭについて仮想ＰＤＣＣＨを測定してもよい。これは、ネットワークがしばらくＰＤＣＣＨをスケジュールしないならば、ネットワークはＵＥが正確にどこにあるかをおそらく知ることができないという事実に起因して、合理的な仮定である。したがって、ネットワークは、ＭＲＳ、ＳＳ、ＣＳＩ‐ＲＳに基づくことができるワイド・ビームを送信して、少なくともＲＬＭ及びビーム障害検出のために、ＵＥがこのようなビームを首尾よく検出できることを確実にする必要があってもよい。ここで、モビリティＲＳリソース割り当てのネットワーク側構成について、上述したすべての様々な種類のＲＳ送信を採用できる。ＰＤＣＣＨ機会に関するモビリティＲＳのための例示的なリソース構成が図１７に説明される。
【０１０７】
しかし、背景技術で議論した提案ソリューションにおける方法とは対照的に、この実施形態におけるＲＳは、ＰＤＣＣＨが構成されているのと同じビーム・パターン上で必ずしも送信されない。ＲＳ（例えば、ＭＲＳ）は基準信号の共通集合としてサービングＴＲＰによって送信されることができ、すべての近くのＵＥは、同期ソースとしてサービングＭＲＳ集合からこれらのＭＲＳを読み取ることができる。この場合、ＭＲＳ及びＰＤＣＣＨの送信は、図１８に説明するように、異なるビーム上で構成されうる。
【０１０８】
短い間隔を有する不規則なＰＤＣＣＨスケジューリング期間中、ネットワークは、以前と同じ周波数リソース上でＰＤＣＣＨを構成し続ける可能性が高い。したがって、ＵＥは、ＰＤＣＣＨ／ＤＭＲＳがＲＬＭ測定に利用可能でない場合であっても、同様のリソース上でモビリティＲＳ（例えば、ＭＲＳ、ＳＳ、ＣＳＩ‐ＲＳ）を受信及び測定できてもよい。さらに、モビリティＲＳは共通の基準信号であるが、ＰＤＣＣＨ及びＤＭＲＳはＵＥ固有の方法で送信される。したがって、ネットワーク内の複数のＵＥは、同じ共通ＲＳに基づいて、それら自身の一意の仮想ＰＤＣＣＨ品質を導出できるべきである。時間‐周波数リソース上のＲＳの構成は、ＵＥ固有のＰＤＣＣＨ機会に関して以下のタイプを有してもよい。
【０１０９】
一部の場合に、ＲＳは、ＰＤＣＣＨの機会内で構成されてもよい。このような場合、周期的ＲＳは、モビリティ・イベント測定のために利用可能な周波数リソースのいくつかで送信される。これに加えて、ネットワークは、あらゆる仮想ＰＤＣＣＨ機会に追加のＲＳを構成してもよい。これらの機会は、ネットワークが次のＰＤＣＣＨを送信する可能性が高いリソース・テーブル上の時間‐周波数ブロックである。仮想ＰＤＣＣＨ機会は、ネットワークによる最後にスケジュールされたＰＤＣＣＨ機会と同じであってもよいし、リソース・テーブル内の異なるブロックであってもよい。いずれの場合も、仮想ＰＤＣＣＨ機会は、ネットワークによって構成される実際のＰＤＣＣＨの時間／周波数割り当てを指す。いくつかの実施形態によれば、ネットワークは、少なくとも１つのＵＥ固有のＰＤＣＣＨ機会が構成される周波数ブロックごとに追加のＲＳを構成する。
【０１１０】
図１９は、ＰＤＣＣＨ機会内のモビリティ測定のためにビーム形成されたＲＳのための構成を示す。この図によれば、周期的ＲＳは、短い時間周期性を有する周波数リソースＦ１において構成される。ＵＥ‐１は、周波数Ｆ３及びＦ５におけるＰＤＣＣＨ監視のために構成され、一方、ＵＥ‐２は周波数Ｆ１及びＦ３におけるＰＤＣＣＨ監視のために構成される。この図では、ＵＥ‐１もＵＥ‐２も、データ非アクティビティに起因してＰＤＣＣＨをスケジュールされていない。ネットワークは、より長い時間周期性を有する周波数Ｆ３及びＦ５で追加のＲＳを構成する。これらの追加のＲＳは、ＲＬＭ測定のためにのみ必要とされるので、散発的に送信される。Ｆ３における追加のＲＳは、仮想ＰＤＣＣＨ品質を推定するために、ＵＥ‐１及びＵＥ‐２の両方によって使用されうることに留意されたい。また、モビリティ・イベント測定に使用される同じＲＳをＲＬＭ目的にも使用できるので、ネットワークは、Ｆ１において追加のＲＳを構成する必要がないことに留意する価値がある。
【０１１１】
このアプローチは、ＲＬＭのための柔軟なＵＥ測定機会を可能にする。接続モードのＵＥは同じ周波数リソース上で同時にＰＤＣＣＨ／ＤＭＲＳ及びＲＳを探索し、一方又は両方に基づいてＲＬＭを実行できる。ＵＥは、ＲＬＭのためにどのＲＳが使用されるべきかについて構成される必要はない。例えば、図１９のＵＥ‐２は、ＵＥがＰＤＣＣＨをスケジュールされる場合でさえ、ＲＬＭのためにモビリティＲＳ及びＤＭＲＳの両方を使用してもよく、これは、２つのタイプのＲＳからより多くの測定サンプルを取得する結果としてＲＬＭ精度を改善する可能性がある。別の可能なＵＥ実装は、ＰＤＣＣＨ機会を探索し、ＰＤＣＣＨが検出されたか否かに応じて１つのタイプのＲＳ測定（ＤＭＲＳ又はモビリティＲＳのいずれか）のみに依存することであってもよく、これは、ＵＥの複雑さを単純化するだろう。
【０１１２】
さらなるサブ実施形態として、可能なネットワーク側実装は、対応するＵＥが同じ機会に再びＰＤＣＣＨをスケジュールされる場合に、（例えば、図１９のＦ３及びＦ５において）これらの追加のモビリティＲＳのいくつかを非アクティブ化してもよい。このような日和見的な実装は、リーン・シグナリングを改善してもよい。これに代えて、ネットワークは、上述のように、ＵＥがより柔軟にＲＬＭを実行できるようにするモビリティＲＳを非アクティブ化しなくてもよい。
【０１１３】
モビリティＲＳはまた、ＰＤＣＣＨ機会以外で構成されてもよい。このアプローチで、ネットワークは、仮想ＰＤＣＣＨ機会以外に追加のモビリティＲＳを構成する。同様に、これらの追加のモビリティＲＳの周期性は、ＰＤＣＣＨ機会の周期性に依存して、モビリティＲＳブロックよりも長くなりうる。この構成オプションで、ネットワークは、モビリティＲＳの周波数リソース構成において、より柔軟性を有する。しかし、ＵＥは、これらの追加のモビリティＲＳの周波数リソースで構成される必要があってもよい。各ＵＥは、まず、その構成に従ってＰＤＣＣＨを検出しようと試みる。ＰＤＣＣＨ／ＤＭＲＳが検出されないならば、ＵＥは、モビリティＲＳについて同様のリソースを探索する。この探索は、これらの追加のモビリティＲＳをＵＥがどこで見つけるべきかを既に知るように、ネットワークによって事前構成されうる。これらのモビリティＲＳ機会の構成は、仮想ＰＤＣＣＨ周波数割当てに対する固定周波数シフトに基づくことができるか、又はＵＥは、新しい構成が必要とされるたびに柔軟に構成されうる。
【０１１４】
モビリティＲＳは、すべてのＰＤＣＣＨ機会以外で構成されてもよい。このアプローチは図２０に説明されている。ＵＥ‐１及びＵＥ‐２は異なるＰＤＣＣＨ周波数割当てで構成され、ネットワークは対応するＰＤＣＣＨ機会に対して固定周波数シフトで追加のモビリティＲＳを送信する。
【０１１５】
いくつかの実装によれば、ネットワークは、ＵＥが再びＰＤＣＣＨでスケジュールされる場合に、これらの追加のモビリティＲＳを非アクティブしてもよいし、しなくてもよい。非アクティブ化されないならば、ＵＥは、ＲＬＭのためにＤＭＲＳ／ＰＤＣＣＨ及びモビリティＲＳの両方を測定してもよい。
【０１１６】
この構成オプションは、より複雑なＵＥ探索アルゴリズム及び／又はより多くのＵＥ構成を必要とする。一方、ネットワークは、周波数リソース割当てにおいてより柔軟性を有する。また、ＰＤＣＣＨ機会とは異なる周波数ブロック上でネットワークがモビリティＲＳを構成できるので、より多くのＵＥによって同じモビリティＲＳが使用されうる。したがって、シグナリング・オーバヘッドの量は、最適化によって制御されうる。
【０１１７】
モビリティＲＳは、ＲＬＭ間隔中にＰＤＣＣＨ機会以外に構成されてもよい。このアプローチで、ネットワークは、ＰＤＣＣＨ機会以外であるが、ＲＬＭ間隔中にのみ、追加のモビリティＲＳを構成する。ここで、追加のモビリティＲＳの量は、上記の他のフレーバよりも少ない。したがって、これは最もリーンな構成である。
【０１１８】
図２１は、ＲＬＭ周期性を有するＰＤＣＣＨ機会以外のモビリティＲＳ構成を示す。周波数ブロックＦ１に加えて、ＵＥ‐１及びＵＥ‐２の両方は、Ｆ３及びＦ５において仮想ＰＤＣＣＨ機会を有する。したがって、ネットワークは、追加のモビリティＲＳを構成する。しかし、これらのモビリティＲＳの周期性は、ＲＬＭ周期性と同じくらい散発的である。この図によれば、可能なＵＥ構成は、ＰＤＣＣＨ機会に対する固定周波数シフトでありうる。一例として、ＵＥ‐１は、Ｆ５において、その仮想ＰＤＣＣＨ品質を測定する必要がある。この構成に基づいて、ＵＥ‐２は、Ｆ５において、そのＰＤＣＣＨ機会を探索する。スケジュールされたＰＤＣＨが存在するならば、ＲＬＭは、検出されたＤＭＲＳ／ＰＤＣＣＨに基づきうる。ＰＤＣＣＨ／ＤＭＲＳがＦ５で検出されないならば、ＵＥ‐２は、図２１に説明されるように、第１モビリティＲＳ機会が検出されるまで、構成された周波数シフトに基づいていくつかのモビリティＲＳを探索し続けてもよい。
【０１１９】
したがって、いくつかの実施形態で、同じビーム上のビーム形成されたダウンリンク信号のためにＤＭＲＳ及び物理チャネル品質インジケータが構成される。他の実施形態で、ＰＳＳと、ＳＳＳと、ＴＳＳと、ＣＳＩ‐ＲＳと、ＭＲＳと、ＢＲＳとのうちの１つ以上は、ワイヤレス・デバイスが物理制御チャネル領域でスケジュールされない場合にワイド・ビーム上で送信される。ＲＳ及び物理制御チャネル領域は、異なるビームであるビーム形成されたダウンリンク信号上で送信されてもよい。
【０１２０】
方法１４００は、複数のＲＬＭ測定ソースのうちの１つ以上のものについての構成情報を送信することと、構成情報に基づいて測定を実行するようにワイヤレス・デバイスを構成することとを含んでもよい。方法１４００はまた、ワイヤレス・デバイスのための制御チャネル・メッセージが物理制御チャネル領域に含まれたならば使用されることになるものに対応する時間‐周波数リソースにおける追加のＲＳを送信することと、追加のＲＳに対応する構成情報を送信することとを含んでもよい。一部の場合に、方法１４００は、制御チャネル・メッセージが再び物理制御チャネル領域に含まれるべき場合に、時間‐周波数リソースにおける追加のＲＳの送信を非アクティブ化することをさらに含んでもよい。
【０１２１】
上で詳細に論じたように、本書で説明する技術は例えば、図６、図９及び図１４のプロセス・フロー図に説明するように、１つ以上のプロセッサによって実行されるコンピュータ・プログラム命令を使用して、全体的に又は部分的に実施されてもよい。当然のことながら、これらの技術の機能実装は、機能モジュールに関して表されてもよく、各機能モジュールは適切なプロセッサ内で実行されるソフトウェアの機能ユニット、又は機能デジタル・ハードウェア回路、あるいは両方の何らかの組合せに対応する。
【０１２２】
図２２は、ワイヤレス・デバイス５０のようなワイヤレス・デバイスにおいて実施されてもよい例示的な機能モジュール又は回路アーキテクチャを説明する。機能実装は、ビーム形成されたダウンリンク信号内で受信された複数のＲＬＭ測定ソースに基づいて測定を実行するための測定モジュール２２０２を含み、測定は、所与のセル又はビームの品質を示す。複数のＲＬＭ測定ソースは、１つ以上の第１ＲＳと、１つ以上の第１ＲＳとは異なる１つ以上の第２ＲＳと、ビーム形成されたダウンリンク信号内の非基準信号データから取得された１つ以上の物理チャネル品質インジケータとのうちの２つ以上を含む。この実装はまた、複数の評価期間のそれぞれについて及び測定を実行するために使用される複数のＲＬＭ測定ソースのそれぞれについて、個別のＲＬＭ測定ソースについての測定が第１閾値未満であることに応答して、当該測定が非同期状態イベントを示すかどうかを判断すること、又は、個別のＲＬＭ測定ソースについての測定が第２閾値を上回ることに応答して、当該測定が同期状態イベントを示すかどうかを判断することのための判断モジュール２２０４を含む。この実装はまた、同期状態イベント及び／又は非同期状態イベントの判定された発生に基づいて１つ以上のＲＬＭ動作を実行するための動作モジュール２２０６を含む。
【０１２３】
図２３は、ワイヤレス・デバイスにおいて実装されてもよい別の例示的な機能モジュール又は回路アーキテクチャを説明する。機能実装は、評価期間の第１時間間隔中に、ビーム形成されたダウンリンク信号内で受信されたＲＬＭ測定ソースを使用して測定を実行するための測定モジュール２３０２を含み、測定は、所与のセル又はビームの品質を示す。ソースは、１つ以上の第１ＲＳと、１つ以上の第１ＲＳとは異なる１つ以上の第２ＲＳと、ビーム形成されたダウンリンク信号内の非基準信号データから取得された１つ以上の物理チャネル品質インジケータとのうちの１つを含む。本実装は、評価期間の先頭からの第１時間間隔中のＲＬＭ測定ソースの発生回数を判定するための判定モジュール２３０４を含む。発生回数が発生閾値を満たしたと判定することに応答して、判定モジュール２３０４は、評価期間の残りの間、ＲＬＭ測定ソースを１次ソースとして使用して測定を実行し続けるためのものである。発生回数が発生閾値を満たさないと判定することに応答して、判定モジュール２３０４はまた、１つ以上の第１ＲＳと、１つ以上の第２ＲＳと、ビーム形成されたダウンリンク信号内の非基準信号データから取得された１つ以上の物理チャネル品質インジケータとのうちの異なる１つを２次ソースとして選択し、代わりに、評価期間の残りの間、２次ソースを使用して測定を実行するためのものである。本実装は、１次ソース及び２次ソースのうちの少なくとも１つを使用して実行された測定に基づいて１つ以上のＲＬＭ動作を実行するための動作モジュール２３０６をさらに含む。
【０１２４】
図２４は、ネットワーク・ノード３０のような無線通信ネットワークにおけるネットワーク・ノードにおいて実施されてもよい例示的な機能モジュール又は回路アーキテクチャを説明する。本実装は、ビーム形成されたダウンリンク信号において、複数のＲＬＭ測定ソースを送信するための送信モジュール２４０２を含み、複数のソースは、１つ以上の第１ＲＳと、１つ以上の第１ＲＳとは異なる１つ以上の第２ＲＳとを含む。本実装はまた、ビーム形成されたダウンリンク信号内で受信された複数のＲＬＭ測定ソースに基づいて測定を実行するようにワイヤレス・デバイスを構成するための構成モジュール２４０４を含み、測定は、所与のセル又はビームの品質を示す。その後、ワイヤレス・デバイスは、測定から判定された同期状態イベント及び非同期状態イベントの発生に基づいて、１つ以上のＲＬＭ動作を実行できるようにされる。
【０１２５】
特に、開示された発明の変形及び他の実施形態は、前述の説明及び関連する図面に提示された教示の恩恵を受ける当業者に思い浮かぶだろう。したがって、本発明は、開示された特定の実施形態に限定されるべきではなく、変更及び他の実施形態が本開示の範囲内に含まれることが意図されることを理解されたい。本書では特定の用語が使用されうるが、それらは一般的かつ説明的な意味でのみ使用され、限定を目的とするものではない。
【図１】
2020516141.tif 000003
【図２】
2020516141.tif 000004
【図３】
2020516141.tif 000005
【図４】
2020516141.tif 000006
【図５】
2020516141.tif 000007
【図６】
2020516141.tif 000008
【図７】
2020516141.tif 000009
【図８】
2020516141.tif 000010
【図９】
2020516141.tif 000011
【図１０】
2020516141.tif 000012
【図１１】
2020516141.tif 000013
【図１２】
2020516141.tif 000014
【図１３】
2020516141.tif 000015
【図１４】
2020516141.tif 000016
【図１５】
2020516141.tif 000017
【図１６】
2020516141.tif 000018
【図１７】
2020516141.tif 000019
【図１８】
2020516141.tif 000020
【図１９】
2020516141.tif 000021
【図２０】
2020516141.tif 000022
【図２１】
2020516141.tif 000023
【図２２】
2020516141.tif 000024
【図２３】
2020516141.tif 000025
【図２４】
2020516141.tif 000026
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ユーザ機器、ＵＥ、（５０）における方法（６００）であって、
ビーム形成されたダウンリンク信号内で受信された複数の無線リンク管理、ＲＬＭ、測定ソースに基づいて測定を実行すること（６０２）であって、前記測定は、所与のセル又はビームの品質を示し、前記複数のＲＬＭ測定ソースは、１つ以上の第１基準信号、ＲＳ、と、前記１つ以上の第１ＲＳとは異なるタイプの１つ以上の第２ＲＳとを含む、こと（６０２）と、
複数の評価期間のそれぞれについて及び測定を実行するために使用される前記複数のＲＬＭ測定ソースのそれぞれについて、個別のＲＬＭ測定ソースについての測定が第１閾値未満であることに応答して、当該測定が非同期状態イベントを示すかどうかを判定すること（６０４）と、
非同期状態イベントの判定された発生に基づいて１つ以上のＲＬＭ動作を実行すること（６０８）と、
を有する、方法（６００）。
【請求項２】
請求項１に記載の方法（６００）であって、前記複数のＲＬＭ測定ソースは、１つ以上のチャネル状態情報基準信号、ＣＳＩ‐ＲＳ、と、１つ以上の同期信号ブロック（ＳＳＢ）からの基準信号とを含む、方法（６００）。
【請求項３】
請求項１又は２に記載の方法（６００）であって、非同期状態イベントの前記判定された発生に基づいて前記１つ以上のＲＬＭ動作を実行すること（６０８）は、閾値回数の連続した非同期状態イベントが発生したと判定することに応答して第１ＲＬＭ動作を実行することを含む、方法（６００）。
【請求項４】
請求項３に記載の方法（６００）であって、前記第１ＲＬＭ動作は、タイマを開始することを含む、方法（６００）。
【請求項５】
請求項３に記載の方法（６００）であって、前記第１ＲＬＭ動作は、上位層通知を提供することと、無線リンク障害、ＲＬＦ、を宣言することと、ビーム障害を宣言することと、のうちの１つを含む、方法（６００）。
【請求項６】
請求項３乃至５の何れか１項に記載の方法（６００）であって、連続した非同期状態イベントの前記閾値回数は、前記複数のＲＬＭ測定ソースの各ソースについて別々に確立される、方法（６００）。
【請求項７】
請求項３乃至６の何れか１項に記載の方法（６００）であって、前記複数のＲＬＭ測定ソースのうちの１つ以上についての連続した非同期状態イベントの前記閾値回数は、異なるＲＬＭ測定ソースによって共有される、方法（６００）。
【請求項８】
請求項１に記載の方法（６００）であって、前記複数のＲＬＭ測定ソースに基づいて前記測定を実行すること（６０２）は、
前記ビーム形成されたダウンリンク信号のうちの１つ以上の制御チャネル領域であって、前記ＵＥ(５０）のための制御チャネル・メッセージに関連する制御チャネル領域を監視することと、
前記制御チャネル領域の所与のサブフレーム内にデータがスケジュールされると判定することに応答して、
評価期間中に、１つ以上の第１ＲＳを使用して第１品質推定を計算することによって第１測定を判定することであって、前記第１ＲＳは、前記制御チャネル領域内の復調基準シンボル、ＤＭＲＳ、である、ことと、
前記評価期間中に、前記１つ以上の第２ＲＳを使用して第２品質推定を計算することによって第２測定を判定することであって、前記１つ以上の第２ＲＳは、１つ以上の１次同期信号、ＰＳＳ、と、１つ以上の２次同期信号、ＳＳＳ、と、１つ以上の３次同期信号、ＴＳＳ、と、物理ブロードキャスト・チャネル、ＰＢＣＨ、のために使用される１つ以上のＤＭＲＳと、チャネル状態情報‐参照信号、ＣＳＩ‐ＲＳのうちの１つ以上と、１つ以上のモビリティ基準信号、ＭＲＳ、と、１つ以上のビーム測定基準信号、ＢＲＳ、と、のうちの１つである、ことと、
を含む、方法（６００）。
【請求項９】
請求項８に記載の方法（６００）であって、前記第１品質推定は、前記評価期間にわたって前記１つ以上の第１ＲＳから測定された第１無線信号メトリックの平均として計算され、前記第２品質推定は、前記評価期間にわたって前記１つ以上の第２ＲＳから測定された第２無線信号メトリックの平均として計算される、
方法（６００）。
【請求項１０】
請求項１乃至９の何れか１項に記載の方法（６００）であって、
前記複数のＲＬＭ測定ソースのうちの１つ以上についての構成情報を受信することと、
前記構成情報に基づいて前記測定を実行することと、
をさらに有する、方法（６００）。
【請求項１１】
ワイヤレス通信システムの基地局（３０）における方法（１４００）であって、
ビーム形成されたダウンリンク信号において、複数の無線リンク管理、ＲＬＭ、測定ソースを送信すること（１４０２）であって、前記複数のＲＬＭ測定ソースは、１つ以上の第１基準信号、ＲＳ、と、前記１つ以上の第１ＲＳとは異なるタイプの１つ以上の第２ＲＳとを含む、こと（１４０２）と、
前記ビーム形成されたダウンリンク信号内で受信された複数のＲＬＭ測定ソースに基づいて測定を実行するようにユーザ機器、ＵＥ、（５０）を構成すること（１４０４）であって、前記測定は、所与のセル又はビームの品質を示し、それによって、前記測定から判定された同期状態イベント及び非同期状態イベントの発生に基づいて１つ以上のＲＬＭ動作を前記ＵＥ(５０）が実行できるようにする、ことと、
を有する、方法（１４００）。
【請求項１２】
請求項１１に記載の方法（１４００）であって、
前記複数のＲＬＭ測定ソースのうちの１つ以上の構成情報を送信することと、
前記構成情報に基づいて前記測定を実行するように前記ＵＥ(５０）を構成することと、
をさらに有する、方法（１４００）。
【請求項１３】
請求項１２に記載の方法（１４００）であって、
前記ＵＥ(５０）のための制御チャネル・メッセージが前記物理制御チャネル領域に含まれていたならば使用されることになるものに対応する時間‐周波数リソース内の追加のＲＳを送信することと、
前記追加のＲＳに対応する構成情報を送信することと、
をさらに有する、方法（１４００）。
【請求項１４】
請求項１３に記載の方法（１４００）であって、制御チャネル・メッセージが再び前記物理制御チャネル領域に含まれるべき場合に、前記時間‐周波数リソース内の前記追加のＲＳの前記送信を非アクティブ化することをさらに有する、方法（１４００）。
【請求項１５】
ユーザ機器、ＵＥ、（５０）であって、
ビーム形成されたダウンリンク信号を受信するように構成された送受信機回路（５６）と、
前記送受信機回路（５６）に動作可能に関連付けられた処理回路（５２）であって、
前記ビーム形成されたダウンリンク信号内で受信された複数の無線リンク管理、ＲＬＭ、測定ソースに基づいて測定を実行すること（６０２）であって、前記測定は、所与のセル又はビームの品質を示し、前記複数のＲＬＭ測定ソースは、１つ以上の第１基準信号、ＲＳ、と、前記１つ以上の第１ＲＳとは異なるタイプの１つ以上の第２ＲＳとを含む、ことと、
複数の評価期間のそれぞれについて及び測定を実行するために使用される前記複数のＲＬＭ測定ソースのそれぞれについて、個別のＲＬＭ測定ソースについての測定が第１閾値未満であることに応答して、当該測定が非同期状態イベントを示すかどうかを判定することと、
非同期状態イベントの判定された発生に基づいて１つ以上のＲＬＭ動作を実行することと、
を行うように構成された処理回路（５２）とを有する、ＵＥ（５０）。
【請求項１６】
請求項１５に記載のＵＥ（５０）であって、前記複数のＲＬＭ測定ソースは、１つ以上のチャネル状態情報基準信号、ＣＳＩ‐ＲＳ、と、１つ以上の同期信号ブロック（ＳＳＢ）からの基準信号とを含む、ＵＥ（５０）。
【請求項１７】
請求項１５又は１６に記載のＵＥ（５０）であって、前記処理回路（５２）は、閾値回数の連続した非同期状態イベントが発生したと判定することに応答して第１ＲＬＭ動作を実行することによって、非同期状態イベントの前記判定された発生に基づいて前記１つ以上のＲＬＭ動作を実行するように構成される、ＵＥ（５０）。
【請求項１８】
請求項１７に記載のＵＥ（５０）であって、前記第１ＲＬＭ動作は、タイマを開始することを含む、ＵＥ（５０）。
【請求項１９】
請求項１７に記載のＵＥ（５０）であって、前記第１ＲＬＭ動作は、上位層通知を提供することと、無線リンク障害、ＲＬＦ、を宣言することと、ビーム障害を宣言することと、のうちの１つを含む、ＵＥ（５０）。
【請求項２０】
請求項１７乃至１９の何れか１項に記載のＵＥ（５０）であって、連続した非同期状態イベントの前記閾値回数は、前記複数のＲＬＭ測定ソースの各ソースについて別々に確立される、ＵＥ（５０）。
【請求項２１】
請求項１７乃至１９の何れか１項に記載のＵＥ（５０）であって、前記複数のＲＬＭ測定ソースのうちの１つ以上についての連続した非同期状態イベントの前記閾値回数は、異なるＲＬＭ測定ソースによって共有される、ＵＥ（５０）。
【請求項２２】
請求項１５に記載のＵＥ（５０）であって、前記処理回路（５２）は、
前記ビーム形成されたダウンリンク信号のうちの１つ以上の制御チャネル領域であって、前記ＵＥ(５０）のための制御チャネル・メッセージに関連する制御チャネル領域を監視することと、
前記制御チャネル領域の所与のサブフレーム内にデータがスケジュールされると判定することに応答して、
評価期間中に、１つ以上の第１ＲＳを使用して第１品質推定を計算することによって第１測定を判定することであって、前記第１ＲＳは、前記制御チャネル領域内の復調基準シンボル、ＤＭＲＳ、である、ことと、
前記評価期間中に、前記１つ以上の第２ＲＳを使用して第２品質推定を計算することによって第２測定を判定することであって、前記１つ以上の第２ＲＳは、１つ以上の１次同期信号、ＰＳＳ、と、１つ以上の２次同期信号、ＳＳＳ、と、１つ以上の３次同期信号、ＴＳＳ、と、物理ブロードキャスト・チャネル、ＰＢＣＨ、のために使用される１つ以上のＤＭＲＳと、チャネル状態情報‐参照信号、ＣＳＩ‐ＲＳのうちの１つ以上と、１つ以上のモビリティ基準信号、ＭＲＳ、と、１つ以上のビーム測定基準信号、ＢＲＳ、と、のうちの１つである、ことと、
を行うことによって、前記複数のＲＬＭ測定ソースに基づいて前記測定を実行するように構成される、ＵＥ（５０）。
【請求項２３】
請求項２２に記載のＵＥ（５０）であって、前記第１品質推定は、前記評価期間にわたって前記１つ以上の第１ＲＳから測定された第１無線信号メトリックの平均として計算され、前記第２品質推定は、前記評価期間にわたって前記１つ以上の第２ＲＳから測定された第２無線信号メトリックの平均として計算される、
ＵＥ（５０）。
【請求項２４】
請求項１５乃至２３の何れか１項に記載のＵＥ（５０）であって、前記処理回路（５２）は、
前記複数のＲＬＭ測定ソースのうちの１つ以上についての構成情報を受信することと、
前記構成情報に基づいて前記測定を実行することと、
を行うように構成される、ＵＥ（５０）。
【請求項２５】
ワイヤレス通信システムの基地局（３０）であって、
ビーム形成されたダウンリンク信号を送信し、ユーザ機器、ＵＥ、（５０）と通信するように構成された送受信機回路（３６）と、
前記送受信機回路（３６）に動作可能に関連付けられた処理回路（３２）であって、
前記送受信機回路（３６）を介するビーム形成されたダウンリンク信号において、複数の無線リンク管理、ＲＬＭ、測定ソースを送信することであって、前記複数のＲＬＭ測定ソースは、１つ以上の第１基準信号、ＲＳ、と、前記１つ以上の第１ＲＳとは異なるタイプの１つ以上の第２ＲＳとのうちの２つ以上を含む、ことと、
前記ビーム形成されたダウンリンク信号内で受信された複数のＲＬＭ測定ソースに基づいて測定を実行するように前記ＵＥ（５０）を構成することであって、前記測定は、所与のセル又はビームの品質を示し、それによって、前記測定から判定された同期状態イベント及び非同期状態イベントの発生に基づいて１つ以上のＲＬＭ動作を前記ＵＥ(５０）が実行できるようにする、ことと、
を行うように構成された処理回路（３２）とを有する、基地局（３０）。
【請求項２６】
請求項２４に記載の基地局（３０）であって、前記処理回路（３２）は、
前記複数のＲＬＭ測定ソースのうちの１つ以上の構成情報を送信することと、
前記構成情報に基づいて前記測定を実行するように前記ＵＥ(５０）を構成することと、
を行うように構成される、基地局（３０）。
【請求項２７】
請求項２６に記載の基地局（３０）であって、前記処理回路（３２）は、
前記ＵＥ(５０）のための制御チャネル・メッセージが前記物理制御チャネル領域に含まれていたならば使用されることになるものに対応する時間‐周波数リソース内の追加のＲＳを送信することと、
前記追加のＲＳに対応する構成情報を送信することと、
を行うように構成される、基地局（３０）。
【請求項２８】
請求項２７に記載の基地局（３０）であって、前記処理回路（３２）は、制御チャネル・メッセージが再び前記物理制御チャネル領域に含まれるべき場合に、前記時間‐周波数リソース内の前記追加のＲＳの前記送信を非アクティブ化することをを行うように構成される、基地局（３０）。
【請求項２９】
請求項１乃至１０の何れか１項に記載の方法（６００、９００）を実行するように構成されたユーザ機器、ＵＥ、（５０）。
【請求項３０】
請求項１１乃至１４の何れか１項に記載の方法（１４００）を実行するように構成された基地局（３０）。
【請求項３１】
コンピュータ・プログラム・コードを有するコンピュータ・プログラム（６６）であって、前記コンピュータ・プログラム・コードは、ユーザ機器、ＵＥ、（５０）で実行された場合に、前記ＵＥ（５０）に、
ビーム形成されたダウンリンク信号内で受信された複数の無線リンク管理、ＲＬＭ、測定ソースに基づいて測定を実行することであって、前記測定は、所与のセル又はビームの品質を示し、前記複数のＲＬＭ測定ソースは、１つ以上の第１基準信号、ＲＳ、と、前記１つ以上の第１ＲＳとは異なるタイプの１つ以上の第２ＲＳとを含む、ことと、
複数の評価期間のそれぞれについて及び測定を実行するために使用される前記複数のＲＬＭ測定ソースのそれぞれについて、個別のＲＬＭ測定ソースについての測定が第１閾値未満であることに応答して、当該測定が非同期状態イベントを示すかどうかを判定することと、
非同期状態イベントの判定された発生に基づいて１つ以上のＲＬＭ動作を実行することと、
を行わせる、コンピュータ・プログラム（６６）。
【請求項３２】
請求項３１に記載のコンピュータ・プログラム（６６）と、前記コンピュータ・プログラム（６６）が記憶されたコンピュータ可読媒体（６４）とを含むコンピュータ・プログラム製品（６４、６６）。
【請求項３３】
コンピュータ・プログラム・コードを有するコンピュータ・プログラム（４６）であって、前記コンピュータ・プログラム・コードは、基地局（３０）で実行された場合に、前記基地局（３０）に、
ワイヤレス通信システムの基地局（３０）における方法（１４００）であって、
ビーム形成されたダウンリンク信号において、複数の無線リンク管理、ＲＬＭ、測定ソースを送信することであって、前記複数のＲＬＭ測定ソースは、１つ以上の第１基準信号、ＲＳ、と、前記１つ以上の第１ＲＳとは異なるタイプの１つ以上の第２ＲＳとを含む、ことと、
前記ビーム形成されたダウンリンク信号内で受信された複数のＲＬＭ測定ソースに基づいて測定を実行するようにユーザ機器、ＵＥ、（５０）を構成することであって、前記測定は、所与のセル又はビームの品質を示し、それによって、前記測定から判定された同期状態イベント及び非同期状態イベントの発生に基づいて１つ以上のＲＬＭ動作を前記ＵＥ(５０）が実行できるようにする、ことと、
を行わせる、コンピュータ・プログラム（４６）。
【請求項３４】
請求項３３に記載のコンピュータ・プログラム（４６）と、前記コンピュータ・プログラム（４６）が記憶されたコンピュータ可読媒体（４４）とを含むコンピュータ・プログラム製品（４４、４６）。
【国際調査報告】
2020516141.tif 000027
2020516141.tif 000028
2020516141.tif 000029
2020516141.tif 000030